(57)【要約】【課題】室内の脱臭効率を向上させることができる空気調和機の提供。【解決手段】空気調和機１は、室内熱交換器１１と、加湿ユニット５０と、制御部６０とを備えている。室内熱交換器１１は、室内の空気との間で熱交換を行う。加湿ユニット５０は、室内の空気よりも含有水分量の多い多湿空空気を室内に給気可能である。制御部６０は、除湿動作と給気動作とが同時に実行される水フィルタフェーズを含む脱臭運転を行う。除湿動作とは、室内熱交換器１１の少なくとも第２室内熱交換器１１ｂにおいて室内の空気が除湿される動作のことである。また、給気動作とは、加湿ユニット５０によって、多湿空気が室内に供給される動作のことである。【選択図】図２
2010065884.tif 000002
【特許請求の範囲】
【請求項１】
室内の空気との間で熱交換を行う室内熱交換器（１１）と、
前記室内の空気よりも含有水分量の多い多湿空気を前記室内に給気可能な給気手段（５０）と、
前記室内熱交換器において前記室内の空気が除湿される除湿動作と前記給気手段によって前記多湿空気が前記室内に供給される給気動作とが同時に実行される除湿加湿同時実行フェーズ（Ｆ２）を含む脱臭運転を行う制御部（６０，１６０）と、
を備える空気調和機（１）。
【請求項２】
前記給気手段は、前記室内へ供給される空気を加湿することが可能な加湿部（５７）を有する、
請求項１に記載の空気調和機。
【請求項３】
前記制御部は、前記給気手段を制御することで、前記加湿部によって生成された加湿空気を含む前記多湿空気を前記室内に供給する第１状態と、室外の空気を含む前記多湿空気を前記室内に供給する第２状態とに切り換える、
請求項２に記載の空気調和機。
【請求項４】
前記室外の空気の温度を検知する温度検知部（９１）を更に備え、
前記制御部は、前記温度検知部の検知結果に基づいて、前記第１状態と前記第２状態とを切り換える、
請求項３に記載の空気調和機。
【請求項５】
前記室外の空気の湿度を検知する湿度検知部（１９３）を更に備え、
前記制御部は、前記湿度検知部の検知結果に基づいて、前記第１状態と前記第２状態とを切り換える、
請求項３に記載の空気調和機。
【請求項６】
前記制御部は、前記脱臭運転において、前記給気動作を含む高湿度フェーズ（Ｆ１）、前記除湿加湿同時実行フェーズ、前記除湿動作を含む調湿フェーズ（Ｆ３）の順にフェーズを切り換える、
請求項１から５のいずれかに記載の空気調和機。
【請求項７】
前記制御部は、前記高湿度フェーズにおいて、前記室内の温度が所定温度以上となるように制御し、かつ、前記室内の湿度が所定湿度以上となるように制御する、
請求項６に記載の空気調和機。
【請求項８】
前記室内熱交換器は、第１室内熱交換部（１１ａ）と第２室内熱交換部（１１ｂ）とを有し、
前記制御部は、前記除湿加湿同時実行フェーズにおいて、前記室内の温度に基づいて、前記第１室内熱交換部を放熱器または吸熱器として機能させ、前記第２室内熱交換部を吸熱器として機能させる、
請求項１から７のいずれかに記載の空気調和機。
【請求項９】
前記給気手段は、前記室外の空気を前記室内に供給するための給気ファン（５４）を有し、
前記制御部は、前記給気ファンの風量を調整する風量調整部（６３，１６３）を有し、前記脱臭運転において前記風量調整部を用いて前記給気ファンの風量を調整することで前記多湿空気の前記室内への供給量の制御を行う、
請求項１から８のいずれかに記載の空気調和機。
【発明の詳細な説明】
【技術分野】
【０００１】
本発明は、加湿機能および除湿機能を備える空気調和機に関する。
【背景技術】
【０００２】
従来より、加湿等によって相対湿度を上昇させた空気を凝縮することで、空気中に含まれるニオイ成分等を凝縮水とともに回収する方法が提案されている。
【０００３】
例えば、室内から取り込んだ空気を加湿する加湿部と、加湿部で加湿された空気を除湿する除湿部とを備える空気清浄機がある（特許文献１参照）。この空気清浄機では、室内から取り込んだ汚染空気が加湿部において湿度を高められて高湿度空気が生成され、生成された高湿度空気が除湿部において除湿される。このとき、除湿によって凝縮された凝縮水に空気中の汚染物質を取り込むことで、除湿後の空気を清浄化している。このように、この空気清浄機は、室内の空気を取り込んで清浄化して、清浄空気を室内に戻す空気清浄機能を有している。
【０００４】
また、加湿機能と除湿機能とを有する加湿・除湿装置を備える揮発性有機化合物の除去装置がある（特許文献２参照）。この除去装置では、室内を加湿する第１工程終了後に、加湿された室内の空気を除湿する第２工程が行われている。この除去装置では、第１工程において室内を加湿することで建材等に付着した揮発性有機化合物を空気中に放散させ、第２工程において放散した揮発性有機化合物を空気とともに凝縮して、揮発性有機化合物を含む凝縮水を回収している。これによって、室内の揮発性有機化合物の除去を行っている。
【特許文献１】特開２００５−１０６３５８号公報
【特許文献２】特開２００５−１２５０８５号公報
【発明の開示】
【発明が解決しようとする課題】
【０００５】
しかしながら、特開２００５−１０６３５８号公報に開示されている空気清浄機では、室内から取り込まれた空気を加湿しているため、室内の布や建材等に付着したニオイ成分を十分に除去できないおそれがある。
【０００６】
また、特開２００５−１２５０８５号公報に開示されている揮発性有機化合物の除去装置では、室内が加湿される第１工程において室内の布や建材等に染みこんだニオイ成分を空気中に十分に放散できずに第２工程に移行した場合、第２工程において室内のニオイ成分の除去が十分に行われないおそれがある。このため、上述のような空気清浄機能または除去装置を空気調和機の搭載した場合であっても、室内の脱臭が十分に行われないおそれがある。
【０００７】
そこで、本発明の課題は、室内の脱臭効率を向上させることができる空気調和機を提供することにある。
【課題を解決するための手段】
【０００８】
第１発明に係る空気調和機は、室内熱交換器と、給気手段と、制御部とを備えている。室内熱交換器は、室内の空気との間で熱交換を行う。給気手段は、室内の空気よりも含有水分量の多い多湿空気を室内に給気可能である。制御部は、除湿動作と給気動作とが同時に実行される除湿加湿同時実行フェーズを含む脱臭運転を行う。除湿動作とは、室内熱交換器において室内の空気が除湿される動作のことである。また、給気動作とは、給気手段によって、多湿空気が室内に供給される動作のことである。
【０００９】
第１発明に係る空気調和機では、脱臭運転に含まれる除湿加湿同時実行フェーズにおいて、除湿動作と給気動作とが同時に実行される。このため、例えば、脱臭運転において除湿動作のみが実行される場合と比較して、室内の布や建材等に付着したニオイ成分を除去することができる。
【００１０】
これによって、室内の脱臭効率を向上させることができる。
【００１１】
第２発明に係る空気調和機は、第１発明の空気調和機であって、給気手段は、室内へ供給される空気を加湿することが可能な加湿部を有する。このため、この空気調和機では、多湿空気を加湿して室内に供給することができる。
【００１２】
これによって、室内の布や建材等に染みこんだニオイ成分を空気中に放散させる脱臭効果を向上させることができる。
【００１３】
第３発明に係る空気調和機は、第２発明の空気調和機であって、制御部は、給気手段を制御することで、第１状態と第２状態とを切り換える。第１状態では、加湿部によって生成された加湿空気を含む多湿空気が室内に供給される。また、第２状態では、室外の空気を含む多湿空気が室内に供給される。
【００１４】
第３発明に係る空気調和機では、脱臭運転の給気動作において、第１状態と第２状態とが切り換えられる。このため、例えば、第１状態では加湿部を駆動させることによって生成された加湿空気を含む室外空気が供給されており、第２状態では加湿部が駆動されずに室外の空気が室内に供給されている場合、常に加湿部が駆動される場合と比較して、給気手段において省エネルギーを実現することができる。
【００１５】
第４発明に係る空気調和機は、第３発明の空気調和機であって、室外の空気の温度を検知する温度検知部を更に備える。また、制御部は、温度検知部の検知結果に基づいて、第１状態と第２状態とを切り換える。このため、例えば、室外の空気の温度が高い場合には室外の空気の絶対湿度が高いことが期待される高温多湿な気候において、制御部によって室外の温度が低いと判断された場合に第１状態に切り換えられ、制御部によって室外の温度が高いと判断された場合に第２状態に状態が切り換えられる場合、第２状態の給気動作であっても室外の高湿度な空気を室内に供給することができる。
【００１６】
これによって、室内に高湿度な空気を供給することができる。
【００１７】
第５発明に係る空気調和機は、第３発明の空気調和機であって、室外の空気の湿度を検知する湿度検知部を更に備える。また、制御部は、湿度検知部の検知結果に基づいて、第１状態と第２状態とを切り換える。このため、例えば、制御部によって室外の湿度が低いと判断された場合に第１状態に切り換えられ、制御部によって室外の湿度が高いと判断された場合に第２状態に切り換えられる場合、第２状態の給気動作であっても室内には高湿度の空気が供給される。
【００１８】
これによって、室内に高湿度な空気を供給することができる。
【００１９】
第６発明に係る空気調和機は、第１発明から第５発明の空気調和機であって、制御部は、脱臭運転において、給気動作を含む高湿度フェーズ、除湿加湿同時実行フェーズ、除湿動作を含む調湿フェーズの順にフェーズを切り換える。このため、高湿度フェーズでは、室内に多湿空気を供給することで、室内の布や建材等に染みこんだニオイ成分を空気中に放散させやすくすることができる。また、除湿加湿同時実行フェーズでは、除湿動作と給気動作とを同時に行うことで、除湿動作によって空気中に放散されているニオイ成分を回収しつつ、給気動作によって室内に多湿空気を供給することで室内の布や建材等に染みこんだニオイ成分を更に放散させやすくすることができる。さらに、調湿フェーズでは、除湿加湿同時実行フェーズで多湿空気が供給された室内を除湿動作によって除湿することで、脱臭運転に調湿フェーズが含まれない場合と比較して、脱臭運転終了後の室内環境の快適性を向上させることができる。
【００２０】
これによって、脱臭効率のよい脱臭運転を行うことができる。
【００２１】
第７発明に係る空気調和機は、第６発明の空気調和機であって、制御部は、高湿度フェーズにおいて、室内の温度が所定温度以上となるように制御し、かつ、室内の湿度が所定湿度以上となるように制御する。このため、この空気調和機では、室内の湿度や温度が脱臭効果の得られないような温度や湿度まで低下し難くすることができる。
【００２２】
これによって、脱臭効果が低減するおそれを減らすことができる。
【００２３】
第８発明に係る空気調和機は、第１発明から第７発明のいずれかの空気調和機であって、室内熱交換器は、第１室内熱交換部と第２室内熱交換部とを有する。また、制御部は、除湿加湿同時実行フェーズにおいて、室内の温度に基づいて、第１室内熱交換部を放熱器または吸熱器として機能させ、第２室内熱交換部を吸熱器として機能させる。このため、この空気調和機では、室内の温度が低い冬季等において、第１室内熱交換部および第２室内熱交換部が共に吸熱器として機能することによって室内温度が脱臭効果の得られないような温度まで低下するおそれを減らすことができる。
【００２４】
これによって、脱臭効果を維持することができる。
【００２５】
第９発明に係る空気調和機は、第１発明から第８発明のいずれかの空気調和機であって、給気手段は、室外の空気を室内に供給するための給気ファンを有する。また、制御部は、給気ファンの風量を調整する風量調整部を有する。さらに、制御部は、脱臭運転において、風量調整部を用いて空気ファンの風量を調整することで、多湿空気の室内への供給量の制御を行う。このため、例えば、脱臭運転時における給気ファンの風量を大きくすることで、室内への多湿空気の供給量を増やすことができる。
【００２６】
これによって、脱臭効果を向上させることができる。
【発明の効果】
【００２７】
第１発明に係る空気調和機では、室内の脱臭効率を向上させることができる。
【００２８】
第２発明に係る空気調和機では、脱臭効果を向上させることができる。
【００２９】
第３発明に係る空気調和機では、給気手段において省エネルギーを実現することができる。
【００３０】
第４発明に係る空気調和機では、室内に高湿度な空気を供給することができる。
【００３１】
第５発明に係る空気調和機では、室内に高湿度な空気を供給することができる。
【００３２】
第６発明に係る空気調和機では、脱臭効率のよい脱臭運転を行うことができる。
【００３３】
第７発明に係る空気調和機では、脱臭効果が低減するおそれを減らすことができる。
【００３４】
第８発明に係る空気調和機では、脱臭効果を維持することができる。
【００３５】
第９発明に係る空気調和機では、脱臭効果を向上させることができる。
【発明を実施するための最良の形態】
【００３６】
＜空気調和機の構成＞
本発明の一実施形態に係る空気調和機１は、図１および図２に示すように、室外機３と、室内機２とを備えている。また、この空気調和機１は、冷房運転、暖房運転、加湿運転、給気運転および排気運転等の通常運転の他に、室内を脱臭する脱臭運転を行うことが可能である。なお、ここでいう脱臭運転とは、室内の布や建材等に染みこんだニオイ成分等を室内空気中に放散させ、空気中に放散したニオイ成分を室外に排出することが可能な運転のことである。また、室外機３は、室外熱交換器２４や室外ファン２９などを内部に収容する室外空調ユニット２０と、加湿ユニット５０とを備えている。室内機２の内部には室内熱交換器１１が収容されている。また、加湿ユニット５０と室内機２との間には、加湿ユニット５０の内部空間と室内機２の内部空間と連通させることが可能な吸排気ホース６が設けられている。吸排気ホース６は、一端が加湿ユニット５０の後述する吸排気ダクト５８に接続されており、他端が室内機２の内部に延びている。
【００３７】
＜室内機の構成＞
室内機２は、室内の壁面等に設置される壁掛け型の室内機である。また、室内機２は、図２に示すように、冷媒配管を介して室外機３に接続されている。さらに、室内機２内には、図２に示すように、室内ファン１２および上述の室内熱交換器１１等が収容されている。
【００３８】
室内熱交換器１１は、長手方向両端で複数回折り返されてなる伝熱管と、伝熱管から挿通される複数のフィンとからなり、接触する空気との間で熱交換を行う。また、室内熱交換器１１は、第１室内熱交換器１１ａと第２室内熱交換器１１ｂとから構成されており、第１室内熱交換器１１ａと第２室内熱交換器１１ｂとの間には、室内膨張弁１７が設けられている。
【００３９】
室内ファン１２は、円筒形状に構成され、周面には回転軸方向に羽根が設けられているクロスフローファンである。室内ファン１２は、回転駆動することによって、回転軸と交わる方向に空気流を生成する。室内ファン１２は、室内の空気を室内機２内に吸い込ませるとともに、室内熱交換器１１との間で熱交換を行った後の空気を室内に吹き出させる。
【００４０】
また、吸排気ホース６の端部には開口が設けられており、上述のように吸排気ホース６は室内機２内部に延びている。また、吸排気ホース６の開口は、第１室内熱交換器１１ａおよび第２室内熱交換器１１ｂの表面と対向する位置、すなわち、室内ファン１２が回転し空気流が生成されている状態で、室内機２の上部に設けられている空気取込口２ａの下流側であり、かつ、第１室内熱交換器１１ａおよび第２室内熱交換器１１ｂの上流側の位置に配置されている。このため、吸排気ホース６を通ってきた室外空気は、第１室内熱交換器１１ａおよび第２室内熱交換器１１ｂの表面の一部に吹き出され、第１室内熱交換器１１ａおよび第２室内熱交換器１１ｂを通って熱交換される。なお、本実施形態では、吸排気ホース６を通ってきた室外空気が第１室内熱交換器１１ａおよび第２室内熱交換器１１ｂの表面の一部に吹き出されているが、これに限定されず、吸排気ホースを通ってきた室外空気が第１室内熱交換器および第２室内熱交換器の表面の全体に吹き出されてもよい。
【００４１】
また、室内機２に形成されている室内空気吹き出し口２ｂの近傍には、水平フラップ９が設けられている。水平フラップ９は、室内機２の長手方向に長い形状を有する板状の部材であり、室内空気吹き出し口２ｂから吹き出される空気を案内する。水平フラップ９は、室内機２の長手方向に平行な回転軸を有しており、回転軸を中心に回転することにより、空気の案内方向を変更する。これによって、室内から室内機２内に取り込まれた空気、または、吸排気ホース６を介して室内機２内に供給された室外空気が、熱交換によって調和され、室内空気吹き出し口２ｂを通じて室内に吹き出される。
【００４２】
＜室外機の構成＞
室外機３は、図１および図２に示すように、下部の室外空調ユニット２０と、上部の加湿ユニット５０とから構成されている。このため、この室外機３では、室外空調ユニット２０と加湿ユニット５０との電源を一元化することができる。
【００４３】
室外空調ユニット２０内には、図２に示すように、圧縮機２１と、圧縮機２１の吐出側に接続される四路切換弁２２と、圧縮機２１の吸入側に接続されるアキュムレータ２３と、四路切換弁２２に接続された室外熱交換器２４と、室外熱交換器２４に接続された室外膨張弁２５とが収容されている。室外膨張弁２５は、フィルタ２６および液閉鎖弁２７を介して液冷媒配管に接続されており、この液冷媒配管を介して第１室内熱交換器１１ａの一端と接続されている。また、四路切換弁２２は、室内ガス閉鎖弁２８を介してガス冷媒配管に接続されており、このガス冷媒配管を介して第２室内熱交換器１１ｂの一端と接続されている。
【００４４】
また、加湿ユニット５０は、図２および図３に示すように、室外機３の上部に配置されており、加湿ユニットケーシング７と、加湿ユニット本体５とを備えている。加湿ユニット５０は、室内から取り込まれた空気を室外へと排気したり、室外から取り込まれた室外空気を室内へと供給したりすることができる。また、室外空気を加湿して室内へと供給することもできる。
【００４５】
加湿ユニットケーシング７は、図３に示すように、加湿ロータ５１、加熱装置５２、吸排気ファン５４、吸排気切り換えダンパ５３および吸着用送風装置５５等を収納している。
【００４６】
加湿ユニットケーシング７の前面には、図１、図２および図３に示すように、複数のスリット状の開口からなる吸着用空気吹き出し口７ａが設けられている。また、加湿ユニットケーシング７の背面には、吸着用空気取込口７ｂおよび吸排気口７ｃが設けられている。吸着用空気取込口７ｂは、加湿ロータ５１に水分を吸着させるために室外から取り込まれる空気が通る開口である。吸排気口７ｃは、加湿運転時または脱臭運転時に、室外から加湿ユニット５０内に取り込まれ室内機２に送られる空気が通る開口である。また、吸排気口７ｃは、排気運転時に、室内機２から取り込まれ加湿ユニット５０内から室外へと排気される空気が通る開口である。
【００４７】
加湿ユニット本体５は、図２に示すように、室外空気を室内に給気したり室内空気を室外に排気したりすることが可能な吸排気部５６と、室内へ供給される空気を加湿することが可能な加湿部５７とを備えている。吸排気部５６は、主に、吸排気切り換えダンパ５３および吸排気ファン５４を有している。また、加湿部５７は、主に、加湿ロータ５１、加熱装置５２および吸着用送風装置５５を有している。
【００４８】
以下に、吸排気ファン５４、吸排気切り換えダンパ５３、加湿ロータ５１、加熱装置５２、吸着用送風装置５５の順に説明する。
【００４９】
吸排気ファン５４は、加湿ロータ５１の側方に配置されており、室外から取り込まれ室内機２へと送られる空気の流れを生成するラジカルファン組立体である。吸排気ファン５４は、吸排気口７ｃから加湿ロータ５１および吸排気切り換えダンパ５３を経て室内へと到る空気の流れを生成して、室外から取り入れた空気を室内機２へと送る。また、吸排気ファン５４は、室内機２から取り入れた室内の空気を室外へと排出することもできる。なお、吸排気ファン５４は、後述する吸排気切り換えダンパ５３が切り換わることによって、これらの動作を切り換える。また、吸排気ファン５４は、図２に示すように、室外から取り入れた空気を室内機２へと送る場合には、加湿ロータ５１のうちの加熱装置５２と対向する部分を通過した空気を、吸排気切り換えダンパ５３を経て吸排気ダクト５８へと送り出す。吸排気ダクト５８は、吸排気ホース６に接続されているため、吸排気ファン５４は、吸排気ダクト５８および吸排気ホース６を介して室外の空気を室内機２へと供給する。なお、吸排気ホース６を通って室内機２へ送られる空気は、上述のように室内機２内部において室内熱交換器１１の表面に吹き出される。また、吸排気ファン５４は、室内機２から取り入れた室内の空気を室外へと排出する場合には、吸排気ホース６および吸排気ダクト５８を通ってきた室内の空気を吸排気口７ｃから室外へと排出する。
【００５０】
吸排気切り換えダンパ５３は、吸排気ダンパと、吸排気ダンパを回転させるための吸排気ダンパ駆動用モータ５３ａ（図４参照）とを含む、回転式の空気流路切換機構である。また、吸排気切り換えダンパ５３は、吸排気ファン５４の下方に配置される。さらに、吸排気切り換えダンパ５３では、吸排気ダンパ駆動用モータ５３ａが吸排気ダンパを回転させることで、給気状態と排気状態とが切り換えられる。
【００５１】
給気状態では、吸排気ファン５４が回転することによって、加湿ユニット５０側から室内機２側に向かう空気流が生成される。例えば、吸排気切り換えダンパ５３が給気状態である場合、吸排気ファン５４から吹き出された空気は、吸排気ダクト５８を経て吸排気ホース６を通って室内機２へと供給されるようになる。これにより、給気状態では、図２に示すＡ１方向に空気が流れ、室外の空気が吸排気ホース６を通って室内機２へと供給される。
【００５２】
排気状態では、吸排気ファン５４が回転することによって、室内機２側から加湿ユニット５０側に向かう空気流が生成される。例えば、吸排気切り換えダンパ５３が排気状態である場合、室内機２から取り込まれた室内の空気は、吸排気ホース６を経て吸排気ダクト５８を通って室外へと排気されるようになる。これにより、排気状態では、図２に示すＡ２方向に空気が流れ、室内機２から吸排気ホース６および吸排気ダクト５８を通ってきた空気が、吸排気口７ｃを経て室外へと排気される。
【００５３】
加湿ロータ５１は、ハニカム構造のセラミックロータであり、概ね円盤形状の外形を有している。また、加湿ロータ５１は、回転可能に設けられており、ロータ駆動用モータによって回転駆動される。さらに、加湿ロータ５１の主たる部分は、ゼオライト等の吸着剤から焼成されている。ゼオライト等の吸着剤は、接触する空気中の水分を吸着するとともに、吸着した水分を加熱されることによって脱着するという性質を有している。なお、本実施形態では、吸着剤としてゼオライトを用いているが、シリカゲルやアルミナ等を吸着剤として用いることも可能である。
【００５４】
加熱装置５２は、加湿ロータ５１の上方に位置しており、加湿ロータ５１に対向して配置されている。また、加熱装置５２は、加湿ロータ５１へ送られる空気を加熱することにより、加湿ロータ５１を加熱することができる。
【００５５】
吸着用送風装置５５は、吸着用ファンモータ５９ｂと、吸着用ファンモータ５９ｂによって回転駆動される吸着ファン５９ａとを有し、加湿ロータ５１のうちの加熱装置５２と対向しない部分を通過する空気の流れを生成する。すなわち、吸着用送風装置５５は、吸着用空気吸入口７ｂから吸い込まれ、加湿ロータ５１のうちの加熱装置５２と対向しない部分を通過し、ベルマウス５９ｃの開口を通り、吸着用空気吹き出し口７ａから室外へ排出される空気の流れを生成する。
【００５６】
このような構成によって、加湿部５７では、吸着ファン５９ａを回転駆動させることによって加湿ユニットケーシング７内に取り入れられた室外の空気が、加湿ロータ５１および吸着ファン５９ａを介して、加湿ユニットケーシング７外に排出される。このとき、室外から取り入れられた空気が、加湿ロータ５１の左側略半分の部分を通過する際に、加湿ロータ５１によって空気中に含まれている水分が吸着される。そして、加熱装置５２によって加湿ロータ５１が加熱されることで、吸排気ファン５４によって生成される空気流中に加湿ロータ５１に吸着されていた水分が離脱して加湿空気が生成される。
【００５７】
このため、加湿ユニット５０では、上述のように、吸排気切り換えダンパ５３が給気状態である場合、吸排気ファン５４から吹き出された空気が、吸排気ダクト５８を経て吸排気ホース６を通って室内機２へと供給される。このとき、加湿部５７の加湿ロータ５１および吸着ファン５９ａが回転駆動しており、かつ、加熱装置５２によって加湿ロータ５１が加熱されている場合には、加湿部５７において生成された加湿空気を含む室外空気が、吸排気ホース６を通って室内機２へと供給される。このため、吸排気切り換えダンパ５３が給気状態では、図１に示すＡ１方向に空気が流れ、室外空気が加湿され、または、加湿されずに吸排気ホース６を通って室内機２へと供給されることになる。
【００５８】
また、空気調和機１は、冷房運転、暖房運転、除湿運転、加湿運転、排気運転、および、脱臭運転等の各種運転が行われるように、空気調和機１の有する各種機器を制御する制御部６０を備えている。以下に、制御部６０について説明する。
【００５９】
＜制御部＞
制御部６０は、図４に示すように、室内機２、室外空調ユニット２０および加湿ユニット５０の各種機器と接続されており、リモートコントローラ８０等を介したユーザからの指令に基づいて、冷房運転、暖房運転、除湿運転、加湿運転、排気運転、および、脱臭運転等の各運転モードに応じて各種機器の動作制御を行う。
【００６０】
また、制御部６０は、通常運転制御部６１と、脱臭運転制御部６２とを備えている。通常運転制御部６１は、各種機器の動作制御を行うことで、空気調和機１において冷房運転、暖房運転、除湿運転、加湿運転および排気運転等を含む通常運転が行われるように、前記運転の運転制御を行う。例えば、ユーザによってリモートコントローラ８０を介して加湿運転開始指令が為された場合、通常運転制御部６１は、空気調和機１において加湿運転が行われるように、圧縮機２１等の各種機器の動作制御を行う。また、加湿運転時における各種機器の制御動作には、給気動作が含まれる。
【００６１】
なお、本実施形態における給気動作とは、室外空気が加湿され、または、加湿されずに吸排気ホース６を通って室内機２へと供給されるように、通常運転制御部６１または脱臭運転制御部６２によって加湿ユニット５０の有する各種機器が制御される制御動作のことである。また、給気動作には、通常運転制御部６１または脱臭運転制御部６２によって加湿部５７が駆動されることで積極的に加湿空気が生成される加湿状態（第１状態に相当）で吸排気ファン５４によって室外空気が室内機２へと送られる給気動作である加湿給気動作と、通常運転制御部６１または脱臭運転制御部６２によって加湿部５７が駆動されないために積極的な加湿空気の生成がされない換気状態（第２状態に相当）で吸排気ファン５４によって室外空気が室内機２へと送られる換気給気動作とが含まれる。
【００６２】
このため、加湿給気動作が行われている加湿運転実行中に室内の湿度が設定湿度に到達した場合、通常運転制御部６１は、室内の湿度が設定湿度と等しくなるように、加湿給気動作から換気給気動作に切り換える。具体的には、通常運転制御部６１は、加湿給気動作が行われている加湿運転実行中に室内の湿度が設定湿度に到達した場合、加湿部５７の加湿ロータ５１および吸着ファン５９ａの回転を停止させ、かつ、加熱装置５２における加湿ロータ５１の加熱を停止させる制御を行うことによって、加湿部５７における積極的な加湿空気の生成を停止させることで室内機２に供給される加湿空気の量を調整する。このようにして、空気調和機１において加湿運転が行われる。
【００６３】
なお、本実施形態では、加湿運転実行中に室内の湿度が設定湿度に到達した場合には、通常運転制御部６１が加湿部５７の加湿ロータ５１および吸着ファン５９ａの回転を停止させ、かつ、加熱装置５２における加湿ロータ５１の加熱を停止させる制御を行うことで室内への加湿空気の供給量を調節しているが、室内への加湿空気の供給量の調節手段はこれに限定されず、例えば、通常運転制御部によって、加湿部の加湿ロータおよび吸着ファンの回転を停止させ、かつ、加熱装置における加湿ロータの加熱を停止させ、さらに、吸排気ファンの回転が停止される制御が行われてもよい。また、室内への加湿空気の供給量の調節手段としては、例えば、通常運転制御部によって、加湿ロータおよび吸着ファン５９ａの回転を停止させる制御は行われずに、加熱装置の温度を低下させる制御が行われてもよい。また、本実施形態では、加湿運転実行中に室内の湿度が設定湿度に到達した場合以外にも、室内熱交換器１１の温度に基づいて、加湿部５７が制御されることで、室内機２に供給される加湿空気の量が調節される。
【００６４】
また、ユーザによってリモートコントローラ８０を介して除湿運転開始指令が為された場合、通常運転制御部６１は、空気調和機１において除湿運転が行われるように、圧縮機２１等の各種機器の動作制御を行う。また、除湿運転における各種機器の動作制御には、除湿動作が含まれる。除湿運転における除湿動作とは、通常運転制御部６１によって、室内熱交換器１１が吸熱器として機能するように、各種機器が制御される動作のことである。なお、除湿運転における除湿動作には、通常運転制御部６１によって、第１室内熱交換器１１ａおよび第２室内熱交換器１１ｂが吸熱器として機能するように各種機器が制御される通常除湿動作と、第１室内熱交換器１１ａが放熱器として機能し、かつ、第２室内熱交換器１１ｂが吸熱器として機能するように各種機器が制御される再熱除湿動作とが含まれる。なお、再熱除湿動作および通常除湿動作については、後に説明する。さらに、空気調和機１において除湿運転が実行されている間に室内温度が設定温度よりも低下した場合には、通常運転制御部６１によって各種機器が制御されることで、サーモオフが行われるか、もしくは、除湿運転から暖房運転に運転が切り換わる。なお、本実施形態では、除湿運転における除湿動作として冷房動作が含まれていないが、これに限定されず、除湿運転における除湿動作として冷房動作が含まれていてもよい。
【００６５】
また、脱臭運転制御部６２は、空気調和機１において脱臭運転が行われるように、各種機器の動作制御を行う。また、脱臭運転制御部６２は、吸排気ファン５４の回転数を制御する風量調整部６３を有している。風量調整部６３は、吸排気ファン５４の回転数を制御することによって、脱臭運転において室内に吹き出される室外空気の供給量を調整する。
【００６６】
また、脱臭運転制御部６２は、図５に示すように、脱臭運転において、スチームアウトフェーズＦ１、水フィルタフェーズＦ２、調湿フェーズＦ３の順にフェーズを切り換える。
【００６７】
スチームアウトフェーズＦ１では、脱臭運転制御部６２が、水平フラップ９の傾斜角度が所定角度となるようにフラップ駆動モータ９ａの動作制御を行う。また、脱臭運転制御部６２は、室内ファン１２が所定風量となるように、室内ファン１２の回転を制御する。なお、ここでいう室内ファン１２の所定風量とは、例えば、通常運転時の設定風量と等しい風量である。さらに、風量調整部６３は、吸排気ファン５４が所定風量となるように、吸排気ファン５４の回転を制御する。なお、ここでいう吸排気ファン５４の所定風量とは、加湿運転時に吸排気ファン５４によって生成される風量のうちの最も大きい風量である。
【００６８】
また、脱臭運転制御部６２は、スチームアウトフェーズＦ１において、室内湿度センサ９０によって検知される室内湿度値が目標湿度（例えば、６０％）値以上となるように、給気動作を行う。また、脱臭運転制御部６２は、外気温度サーミスタ９１によって検知される外気温度値に基づいて、給気動作における加湿状態と換気状態とが切り換わるように、加湿ユニット５０の各種機器を制御する。具体的には、脱臭運転制御部６２は、スチームアウトフェーズＦ１において、外気温度サーミスタ９１において検知された外気温度値が所定の第１温度（例えば、３０℃）値以上であると判断した場合、加湿ユニット５０の加湿部５７において積極的に加湿空気が生成されないように、加湿部５７の駆動を停止させる制御を行う。このため、スチームアウトフェーズＦ１において、外気温度値が所定温度値以上である場合には、加湿部５７の加湿ロータ５１が加熱装置５２によって加熱される室外空気の積極的な加湿空気の生成は行われず、吸排気口７ｃから取り入れられた室外の空気が加湿ロータ５１および吸排気切り換えダンパ５３を経て吸排気ホース６を通って室内機２へと供給される換気状態での給気動作、すなわち、換気給気動作が行われる。
【００６９】
また、脱臭運転制御部６２は、スチームアウトフェーズＦ１において、外気温度サーミスタ９１において検知された外気温度値が所定の第１温度（例えば、３０℃）値未満であると判断した場合、加湿ユニット５０の加湿部５７において積極的に加湿空気が生成されるように、加湿部５７を駆動させる制御を行う。このため、スチームアウトフェーズＦ１において、外気温度値が所定温度値未満である場合には、加湿部５７の加湿ロータ５１および吸着ファン５９ａが回転駆動し、かつ、加熱装置５２によって加湿ロータ５１が加熱されることで、加湿部５７において生成された加湿空気を含む室外空気が、吸排気ホース６を通って室内機２へと供給される加湿状態での給気動作、すなわち、加湿給気動作が行われる。
【００７０】
このように、脱臭運転制御部６２は、脱臭運転のスチームアウトフェーズＦ１において、外気温度が所定温度以上の場合には、加湿部５７による積極的な加湿空気の生成が行われないように加湿ユニット５０の各種機器を制御し、外気温度が所定温度未満の場合には加湿部５７による積極的な加湿空気の生成が行われるように加湿ユニット５０の各種機器を制御する。
【００７１】
なお、本実施形態の空気調和機１は、外気温度が３０℃以上ある場合には、出現率約８５％で３０℃６０％相当の絶対湿度があることが期待されるような、高温多湿気候を前提としている。このため、例えば、高温多湿以外の気候に適用する場合には、脱臭運転制御部は、外気温度値ではなく、例えば、室内湿度センサの検出する室内湿度値に基づいて、加湿状態と換気状態との切り換え行う。また、本実施形態では、脱臭運転における給気動作において、室外温度に基づいて加湿状態と換気状態とに状態を切り換えているが、脱臭効果を向上させるために、脱臭運転の給気動作において、換気状態の給気動作は行われずに、常に加湿状態の給気動作が行われてもよい。
【００７２】
また、脱臭運転制御部６２による外気温度値の判断は、所定時間（例えば、１分）毎に行われる。
【００７３】
また、脱臭運転制御部６２は、スチームアウトフェーズＦ１において、図６に示すように、室内温度サーミスタ９２によって検知される室内温度値が目標温度値範囲Wに入るように、圧縮機２１等の各種機器を制御することによって、冷媒回路に冷媒を循環させる。なお、ここでいう目標温度値範囲Wとは、所定の第２温度（例えば、２０℃）値以上であり所定の第１温度（例えば、３０℃）値以下の範囲のことである。また、ここでいう、所定の第１温度および所定の第２温度は、所定の第２温度の方が所定の第１温度よりも低い温度とする。
【００７４】
例えば、室内温度値が目標温度値範囲Wの所定の第２温度値未満である場合、脱臭運転制御部６２は、暖房運転時に行われる暖房動作が必要であると判断し暖房動作が行われるように、各種機器を制御する。なお、ここでいう暖房動作とは、通常運転制御部６１または脱臭運転制御部６２が、四路切換弁２２を図２に示す点線の位置とし、室外膨張弁２５を絞り、室内膨張弁１７を全開にして、圧縮機２１を起動する。このため、暖房動作が行われると、圧縮機２１から吐出される高圧冷媒は、室内熱交換器１１で凝縮した後、室外膨張弁２５で減圧されて、室外熱交換器２４に流入する。そして、室外熱交換器２４で蒸発した後、四路切換弁２２、アキュムレータ２３を介して圧縮機２１に戻る。このとき、室内熱交換器１１において冷媒が凝縮するため、室内空気は暖められる。また、室内温度値が目標温度値範囲Wの所定の第１温度値より大きい場合、脱臭運転制御部６２は、冷房運転時に行われる冷房動作が必要であると判断し冷房動作が行われるように、各種機器を制御する。なお、ここでいう冷房動作とは、通常運転制御部６１または脱臭運転制御部６２が、四路切換弁２２を図２に示す実線の位置とし、室外膨張弁２５を絞り、室内膨張弁１７を全開にして、圧縮機２１を起動する。このため、冷房動作が行われると、圧縮機２１から吐出される高圧冷媒は、室外熱交換器２４で凝縮した後、室外膨張弁２５で減圧されて、第１室内熱交換器１１ａに流入する。そして、第１室内熱交換器１１ａで蒸発し、室内膨張弁１７を介して第２室内熱交換器１１ｂで蒸発した後、四路切換弁２２、アキュムレータ２３を介して圧縮機２１に戻る。このとき、第１室内熱交換器１１ａおよび第２室内熱交換器１１ｂにおいて冷媒が蒸発するため、室内空気は冷却される。さらに、室内温度値が目標温度値範囲W内に入っている場合、脱臭運転制御部６２は、冷房動作および暖房動作が必要ではないと判断し、圧縮機２１等が駆動している場合には圧縮機２１等の各種機器の駆動を停止させる制御を行い、また、圧縮機２１等が駆動していない場合には圧縮機２１等を駆動させる制御を行わない。なお、脱臭運転の開始時における脱臭運転制御部６２による動作判断は、図６に示す室温上昇時で判断する。
【００７５】
このため、脱臭運転のスチームアウトフェーズＦ１には、換気給気動作と冷房動作とが同時に行われる換気冷房状態、加湿給気動作と暖房動作とが同時に行われる加湿暖房状態、および、加湿給気動作のみが行われ冷房動作または暖房動作が行われない加湿単独状態の３つの状態がある。したがって、脱臭運転制御部６２は、脱臭運転のスチームアウトフェーズＦ１において、室内温度値および室外温度値に基づいて、換気冷房状態、加湿暖房状態および加湿単独状態の３つの状態を切り換える。
【００７６】
また、水フィルタフェーズＦ２では、脱臭運転制御部６２は、水平フラップ９の傾斜角度がスチームアウトフェーズＦ１時の所定角度を維持するようにフラップ駆動モータ９ａの動作制御を行う。また、脱臭運転制御部６２は、室内ファン１２がスチームアウトフェーズＦ１時の所定風量となるように、室内ファン１２の回転を制御する。さらに、風量調整部６３は、吸排気ファン５４がスチームアウトフェーズＦ１時の風量となるように、吸排気ファン５４の回転を制御する。
【００７７】
また、脱臭運転制御部６２は、スチームアウトフェーズＦ１終了時に室内温度サーミスタ９２によって検知される室内温度値を目標温度として脱臭運転の水フィルタフェーズＦ２における除湿動作が行われるように、圧縮機２１等の各種機器を制御する。なお、このときの圧縮機２１の回転数は、通常運転時の回転数よりも大きいか、もしくは、最大の回転数とする。
【００７８】
また、水フィルタフェーズＦ２における除湿動作には、脱臭運転制御部６２によって、第１室内熱交換器１１ａおよび第２室内熱交換器１１ｂが吸熱器として機能するように各種機器が制御される通常除湿動作と、第１室内熱交換器１１ａが放熱器として機能し、かつ、第２室内熱交換器１１ｂが吸熱器として機能するように各種機器が制御される再熱除動作とが含まれる。脱臭運転制御部６２は、スチームアウトフェーズＦ１終了時の室内温度値に基づいて、通常除湿動作または再熱除湿動作のいずれかの除湿動作を行う。具体的には、脱臭運転制御部６２は、目標温度が所定の第３温度（例えば、２０℃）値未満の場合には、再熱除湿動作が必要であると判断し、再熱除湿動作を行う。なお、ここでいう再熱除湿動作とは、脱臭運転制御部６２が、四路切換弁２２を図２に示す実線の位置とし、室外膨張弁２５を全開にし、室内膨張弁１７を絞って圧縮機２１を起動する各種機器の制御動作をいう。このため、再熱除湿動作が行われると、圧縮機２１から吐出される高圧冷媒は、室外熱交換器２４、室外膨張弁２５を介して第１室内熱交換器１１ａに流入し、第１室内熱交換器１１ａで凝縮した後、室内膨張弁１７で減圧される。減圧された低圧冷媒は、第２室内熱交換器１１ｂで蒸発した後、四路切換弁２２、アキュムレータ２３を介して圧縮機２１に戻る。このとき、第１室内熱交換器１１ａでは、冷媒が凝縮するため、室内空気は加熱され、第２室内熱交換器１１ｂでは、冷媒が蒸発するため、室内空気は冷却、除湿される。
【００７９】
また、脱臭運転制御部６２は、目標温度が所定の第３温度（例えば、２０℃）値以上の場合には、通常除湿動作が必要であると判断し、通常除湿動作を行う。なお、ここでいう通常除湿動作とは、除湿運転時に行われる除湿動作と同様の動作であって、脱臭運転制御部６２が、四路切換弁２２を図２に示す実線の位置とし、室外膨張弁２５を絞り、室内膨張弁１７を全開にして、圧縮機２１を起動する各種機器の制御動作をいう。このため、通常除湿動作の除湿動作が行われると、圧縮機２１から吐出される高圧冷媒は、室外熱交換器２４で凝縮した後、室外膨張弁２５で減圧されて、第１室内熱交換器１１ａに流入する。そして、第１室内熱交換器１１ａで蒸発し、室内膨張弁１７を介して第２室内熱交換器１１ｂで蒸発した後、四路切換弁２２、アキュムレータ２３を介して圧縮機２１に戻る。このとき、第１室内熱交換器１１ａおよび第２室内熱交換器１１ｂにおいて冷媒が蒸発するため、室内空気は冷却、除湿される。
【００８０】
なお、脱臭運転時には、外気温度が低くても除湿動作が行われるように、再熱除湿実施可能な外気温度範囲の設定を外気温度０℃まで広げられている。また、脱臭運転の水フィルタフェーズＦ２では、室内温度が目標温度よりも低下した場合でも、脱臭運転制御部６２によって、サーモオフが行われずに、各室内熱交換器１１ａ，１１ｂが現在機能している吸熱器または放熱器としての機能が継続されるように、各種機器が制御される。具体的には、脱臭運転の水フィルタフェーズＦ２における除湿動作が通常除湿動作であって、室内温度が目標温度よりも低下した場合、脱臭運転制御部６２によって、第１室内熱交換器１１ａおよび第２室内熱交換器１１ｂが共に吸熱器として機能している状態が維持される。また、脱臭運転の水フィルタフェーズＦ２における除湿動作が再熱除湿動作であって、室内温度が目標温度よりも低下した場合、脱臭運転制御部６２によって、第１室内熱交換器１１ａが放熱器として機能している状態が維持され、第２室内熱交換器１１ｂが吸熱器として機能している状態が維持される。すなわち、脱臭運転の水フィルタフェーズＦ２では、脱臭運転制御部６２によって、各室内熱交換器１１ａ，１１ｂが同時に放熱器として機能するように、各種機器が制御されることはない。つまり、脱臭運転の水フィルタフェーズＦ２では、脱臭運転制御部６２によって、除湿動作から暖房動作への動作切り換えが行われない。
【００８１】
さらに、脱臭運転制御部６２は、水フィルタフェーズＦ２において、上述の除湿動作に加えて給気動作を行う。また、脱臭運転制御部６２は、外気温度サーミスタ９１によって検知される外気温度値に基づいて、給気動作における加湿状態と換気状態とが切り換わるように、加湿ユニット５０の各種機器を制御する。具体的には、脱臭運転制御部６２は、室外温度値が所定の第４温度（例えば、２４℃）値未満である場合には、加湿部５７によって積極的に生成された加湿空気が室内に供給される加湿状態での給気動作、すなわち、加湿給気動作を行う。また、脱臭運転制御部６２は、室外温度値が所定の第４温度（例えば、２４℃）値以上である場合には、加湿部５７によって積極的に加湿空気が生成されていない室外空気が室内に供給される換気状態での給気動作、すなわち、換気給気動作を行う。
【００８２】
このため、脱臭運転の水フィルタフェーズＦ２では、脱臭運転制御部６２によって、除湿動作と給気動作とが同時に実行される。例えば、水フィルタフェーズＦ２において、再熱除湿動作と加湿給気動作とが同時に実行される場合、室内機２内には、加湿部５７によって加湿された加湿空気を含む室外空気が、吸排気ホース６端部の開口から吹き出す。吸排気ホース６端部の開口は、室内熱交換器１１の前方に設けられているため、室内熱交換器１１を通る空気流の室内熱交換器１１より上流側に吹き出す。このため、室外空気は、室内から取り込まれた空気と共に、凝縮器として機能している第１室内熱交換器１１ａを通る際に加熱され、または、蒸発器として機能している第２室内熱交換器１１ｂを通る際に冷却されて除湿される。第１室内熱交換器１１ａを通って加熱された空気と第２室内熱交換器１１ｂを通って除湿された除湿空気とは、混合されて室内機２から吹き出し、室内へと供給される。
【００８３】
また、例えば、水フィルタフェーズＦ２において、通常除湿動作と換気給気動作とが同時に実行される場合、室内機２では、加湿部５７おいて積極的に加湿されていない室外空気が、吸排気ホース６端部の開口から吹き出す。吸排気ホース６端部の開口は、室内熱交換器１１の前方に設けられているため、室内熱交換器１１を通る空気流の室内熱交換器１１より上流側に吹き出す。このため、室外空気は、室内から取り込まれた空気と共に、蒸発器として機能している第１室内熱交換器１１ａおよび第２室内熱交換器１１ｂを通る際に冷却されて除湿される。第１室内熱交換器１１ａおよび第２室内熱交換器１１ｂを通って除湿された除湿空気は、混合されて室内機２から吹き出し、室内へと供給される。
【００８４】
なお、水フィルタフェーズＦ２では、除湿動作と給気動作とが同時に行われるため、吸排気ホース６等が凍結するおそれがある。このため、加湿部５７によって加湿された外部空気が室内機２に供給されることによって吸排気ホース６等が凍結するおそれがあると制御部６０が判断した場合には、脱臭運転制御部６２は、給気動作において加湿状態から換気状態に状態を切り換える。また、水フィルタフェーズＦ２では、室内熱交換器１１の温度に基づいて加湿状態から換気状態へ切り換える制御は行われない。
【００８５】
さらに、調湿フェーズＦ３では、脱臭運転制御部６２が、水平フラップ９の傾斜角度が水フィルタフェーズＦ２時の所定角度を維持するようにフラップ駆動モータ９ａの動作制御を行う。また、調湿フェーズＦ３では、脱臭運転制御部６２は、室内ファン１２が水フィルタフェーズＦ２時の所定風量となるように、室内ファン１２の回転を制御する。さらに、調湿フェーズＦ３では、脱臭運転制御部６２は、室外空気が室内機２に供給されないように、加湿ユニット５０の駆動を停止させる制御を行う。
【００８６】
また、調湿フェーズＦ３では、脱臭運転制御部６２は、除湿動作を行う。なお、本実施形態では、調湿フェーズＦ３における除湿動作は、除湿運転における通常除湿動作と同様の動作であり、水フィルタフェーズＦ２における通常除湿動作と同様の動作である。
【００８７】
また、脱臭運転制御部６２は、脱臭運転におけるスチームアウトフェーズＦ１、水フィルタフェーズＦ２および調湿フェーズＦ３の切り換えを、リモートコントローラ８０等によってユーザによって予め設定されている脱臭運転の実行時間に基づいて行う。具体的には、脱臭運転制御部６２は、以下に示す式にユーザによって予め設定されている脱臭運転の実行時間を当てはめて、各フェーズの実行時間を算出する。
α＝（脱臭運転の実行時間−所定の第１時間）／２
スチームアウトフェーズＦ１実行時間＝所定の第１時間＋α
水フィルタフェーズＦ２実行時間＝α−所定の第２時間
調湿フェーズＦ３実行時間＝所定の第２時間
【００８８】
このようにして算出した各フェーズの実行時間に基づいて、脱臭運転制御部６２は、各フェーズを切り換える。例えば、所定の第１時間が１時間であり、所定の第２時間が３０分である場合であって、ユーザによって脱臭運転の実行時間が５時間と設定された場合、脱臭運転制御部６２は、スチームアウトフェーズＦ１の実行時間を３時間（所定の第１時間＋α）と、水フィルタフェーズＦ２の実行時間を１時間３０分（α−所定の第２時間）と、調湿フェーズＦ３の実行時間を３０分（所定の第２時間）と算出する。そして、脱臭運転制御部６２は、算出した各フェーズの実行時間に基づいて、スチームアウトフェーズＦ１、水フィルタフェーズＦ２、調湿フェーズＦ３の順にフェーズを切り換える。このため、この場合には、脱臭運転として、スチームアウトフェーズＦ１が３時間行われた後に、水フィルタフェーズＦ２が１時間３０分間行われ、その後、調湿フェーズＦ３が３０分間行われる。
【００８９】
なお、所定の第１時間は、給気動作を行うことによって、室内の湿度を脱臭効果のある目標湿度まで上昇させることができる時間に基づいて定められる。また、所定の第２時間は、給気動作を行わずに除湿動作のみを行うことで、脱臭運転終了後の室内環境をユーザに不快感を与えない湿度であり、かつ、室内にカビ等が繁殖するおそれを低減させることができる湿度に室内の湿度を戻すことができる時間に基づいて定められる。
【００９０】
また、脱臭運転制御部６２は、脱臭運転が実行されているときにユーザによって脱臭運転の実行時間が変更された場合には、変更後の実行時間に基づいて、各フェーズの実行時間を再び算出する。そして、再び算出された各フェーズの実行時間に基づいて、脱臭運転制御部６２は、各フェーズを切り換える。なお、ユーザによって実行時間が変更されたときに既に実行されたフェーズがある場合には、脱臭運転制御部６２は、既に実行されたフェーズ切り換える制御を行わない。
【００９１】
また、脱臭運転制御部６２は、ユーザによって脱臭運転停止指令が為される場合を除いて、脱臭運転において調湿フェーズＦ３が確実に実行されるように、各フェーズの実行時間を算出する。このため、例えば、ユーザによって脱臭運転の実行時間が短くなるように設定が変更された場合でも、脱臭運転制御部６２は、スチームアウトフェーズＦ１または水フィルタフェーズＦ２の実行時間を短くすることで、調湿フェーズＦ３の実行時間を確保する。
【００９２】
なお、ユーザによって脱臭運転の実行時間が所定の第３時間（例えば、５時間）未満に設定された場合、リモートコントローラ８０を制御するリモートコントローラ制御部は、ユーザによって設定された実行時間のデータが制御部６０に送信されないようにリモートコントローラ８０を制御するとともに、リモートコントローラ８０の表示部にエラーが表示されるように表示部を制御する。
【００９３】
なお、脱臭運転制御部６２は、リモートコントローラ８０から所定の第３時間未満の実行時間のデータが送信された場合でも、各フェーズの実行時間を算出可能である。なお、所定の第３時間未満の実行時間のデータが送信されてきた場合には、脱臭運転制御部６２は、各フェーズの優先順位に基づいて、各フェーズの実行時間の配分を調整する。なお、各フェーズの優先順位は、調湿フェーズＦ３、スチームアウトフェーズＦ１、水フィルタフェーズＦ２の順である。
【００９４】
さらに、脱臭運転は、リモートコントローラ８０等を介したユーザからの脱臭運転開始指令が為された場合に行われる運転である。具体的には、リモートコントローラ８０等を介してユーザによって送信された脱臭運転開始指令を制御部６０が受信した場合に、脱臭運転制御部６２が各種機器を制御することによって、空気調和機１における脱臭運転が開始される。したがって、空気調和機１の運転が停止している場合、または、空気調和機１において通常運転が行われている場合でも、ユーザから脱臭運転開始指令が為されると、空気調和機１において脱臭運転が開始される。
【００９５】
また、脱臭運転は、リモートコントローラ８０等を介してユーザから脱臭運転停止指令が為された場合、運転が開始されてから実行時間が経過した場合、または、運転実行中にユーザからの他の運転（例えば、冷房運転）の開始指令が為された場合に、運転が停止される。なお、ユーザからの脱臭運転停止指令が為された場合には、例えば、リモートコントローラ８０に設けられている運転停止ボタンがユーザによって押された場合、および、室内機２に設けられている運転停止スイッチがユーザによって押された場合等が含まれる。また、運転が開始されてから実行時間が経過した場合とは、脱臭運転開始前にユーザによって設定されていた脱臭運転実行時間が経過して正常に運転を終了した場合、すなわち、各フェーズの実行時間に基づいて、スチームアウトフェーズＦ１、水フィルタフェーズＦ２、および、調湿フェーズＦ３が実行された場合のことである。
【００９６】
また、脱臭運転制御部６２は、ユーザによってリモートコントローラ８０から送信される通常運転の各種の運転設定（運転モード設定、設定温度、設定湿度、上下／左右以外の風向設定、風量設定、換気設定等）とは別の脱臭運転独自の各種の運転設定に基づいて各種機器を制御するため、制御部６０は、脱臭運転終了後には各種の運転設定が脱臭運転開始前の設定に戻っているか否かを判断し、脱臭運転開始前の設定に戻ってないと判断した場合には脱臭運転開始前の設定に戻す制御を行う。このため、ユーザがリモートコントローラ８０を介さずに冷房運転等の通常運転を開始するような場合でも、通常運転制御部６１は、脱臭運転開始前の設定で通常運転を開始することができる。これによって、ユーザに不快感を与えるおそれを減らすことができる。
【００９７】
＜脱臭運転制御部の制御動作＞
次に、脱臭運転制御部６２の制御動作について説明する。なお、以下には、ユーザによって脱臭運転の実行時間が５時間に設定されており、所定の第１時間が１時間であり、所定の第２時間が３０分である場合を例として説明する。また、以下の説明は、ユーザから脱臭運転開始指令が送信される以外には、他のいかなる制御指令も送信されていない場合、すなわち、運転が開始されてから実行時間が経過した場合について脱臭運転の例である。
【００９８】
ユーザからリモートコントローラ８０を介して為された脱臭運転開始指令を制御部６０が受信した場合、脱臭運転制御部６２は、各種機器を制御することで、空気調和機１において脱臭運転を開始させる。まず、脱臭運転制御部６２は、脱臭運転開始指令が為された時の室内温度値および室外温度値に基づいて、スチームアウトフェーズＦ１における状態を、換気冷房状態、加湿単独状態および加湿暖房状態のうちのいずれか１つの状態に決定し、決定された状態となるように各種機器を制御する。これによって、空気調和機１における脱臭運転のスチームアウトフェーズＦ１が行われる。
【００９９】
そして、脱臭運転のスチームアウトフェーズＦ１が実行されてから３時間が経過すると、脱臭運転制御部６２は、スチームアウトフェーズＦ１から水フィルタフェーズＦ２にフェーズを切り換える。このとき、脱臭運転制御部６２は、スチームアウトフェーズＦ１が実行されてから３時間経過した時の室内温度値に基づいて、水フィルタフェーズＦ２において、再熱除湿動作、または、通常除湿動作のうちのいずれの除湿動作を行うかを判断する。さらに、脱臭運転制御部６２は、スチームアウトフェーズＦ１が実行されてから３時間経過した時の外気温度値に基づいて、水フィルタフェーズＦ２において、加湿状態の給気動作（加湿給気動作）または換気状態の給気動作（換気給気動作）のうちのいずれの給気動作を行うかを判断する。そして、脱臭運転制御部６２が判断された除湿動作と判断された給気動作とを同時に実行することで、空気調和機１における脱臭運転の水フィルタフェーズＦ２が行われる。
【０１００】
また、水フィルタフェーズＦ２が実行されてから１時間３０分が経過すると、脱臭運転制御部６２は、給気動作を停止し、かつ、除湿動作を行うことで、水フィルタフェーズＦ２から調湿フェーズＦ３にフェーズを切り換える。そして、水フィルタフェーズＦ２から調湿フェーズＦ３にフェーズが切り換わってから３０分が経過すると、脱臭運転制御部６２は、除湿動作を停止させ、空気調和機１における脱臭運転を停止させる。これによって、脱臭運転が終了する。
【０１０１】
このようにして、空気調和機において脱臭運転が行われる。なお、脱臭運転の実行時間が上記の例のように５時間に設定された場合には、脱臭運転の各フェーズでは以下のような効果が期待できる。また、脱臭運転の実行時間が５時間以上に設定された場合には、脱臭運転における効果は更に向上する可能性がある。
【０１０２】
スチームアウトフェーズＦ１が開始されてから１時間で、給気動作によって室内の湿度を上昇させる。また、スチームアウトフェーズＦ１が開始されてから１時間から３時間で、給気動作によって室内を高湿度に維持しつつ、室内の布等に染みこんだニオイ成分を空気中に放出させる。
【０１０３】
スチームアウトフェーズＦ１終了後に水フィルタフェーズＦ２が開始されることで、除湿動作によって室内のニオイ成分を室内熱交換器１１の結露水に溶かして回収しドレンとして排出しつつ、給気動作によって蒸発器として機能する室内熱交換器１１に高湿度の空気を当てることによって室内のニオイ成分の回収効率を向上させるとともに室内の湿度を上昇させる。
【０１０４】
水フィルタフェーズＦ２終了後に調湿フェーズＦ３が開始されることで、スチームアウトフェーズＦ１において室内湿度が高くなっていた場合でも、除湿動作によって室内の湿度を低下させる。
【０１０５】
また、室内機２の上部に設けられている空気取込口２ａと室内熱交換器１１との間には、空気清浄フィルタが配置されており、空気取込口２ａから室内機２内に取り込まれた空気は、空気清浄フィルタを介して室内熱交換器１１に送られる。このため、脱臭運転では、水フィルタフェーズＦ２の除湿動作によって室内空気中のニオイ成分が回収される他に、空気清浄フィルタにニオイ成分が吸着されることで、室内のニオイ成分の除去が行われている。
【０１０６】
＜特徴＞
（１）
従来より、加湿等で相対湿度を上昇させた空気を凝縮することで、空気中に含まれるニオイ成分等を凝縮水とともに回収する方法が提案されている。
【０１０７】
例えば、特開２００５−１０６３５８号公報に開示されている空気清浄機は、室内から取り込んだ空気を加湿する加湿部と、加湿部で加湿された空気を除湿する除湿部とを備えている。この空気清浄機では、室内から取り込んだ汚染空気が加湿部において湿度を高められて高湿度空気が生成され、生成された高湿度空気が除湿部において除湿される。このとき、除湿によって得られる水に空気中の汚染物質を取り込むことで、除湿後の空気を清浄化している。このように、この空気清浄機は、室内の空気を取り込んで清浄化して、清浄空気を室内に戻す空気清浄機能を有している。
【０１０８】
また、特開２００５−１２５０８５号公報に開示されている揮発性有機化合物の除去装置は、加湿機能と除湿機能とを有する加湿・除湿装置を備えている。この除去装置では、室内を加湿する第１工程終了後に、加湿された室内の空気を除湿する第２工程が行われている。この除去装置では、第１工程において室内を加湿することで建材等に付着した揮発性有機化合物を空気中に放散させ、第２工程において放散した揮発性有機化合物を空気とともに凝縮して、揮発性有機化合物を含む凝縮水として回収している。これによって、室内の揮発性有機化合物の除去を行っている。
【０１０９】
しかしながら、特開２００５−１０６３５８号公報に開示されている空気清浄機では、室内から取り込まれた空気を加湿しているため、室内の布や建材等に付着したニオイ成分を十分に除去できないおそれがある。
【０１１０】
また、特開２００５−１２５０８５号公報に開示されている揮発性有機化合物の除去装置では、室内が加湿される第１工程において室内の空気の布や建材等に染みこんだニオイ成分を空気中に十分に放散できずに第２工程に移行した場合、第２工程において室内のニオイ成分の除去が十分に行われないおそれがある。このため、上述のような空気清浄機能または除去装置を空気調和機の搭載した場合であっても、室内の脱臭が十分に行われないおそれがある。
【０１１１】
そこで、上記実施形態では、脱臭運転の水フィルタフェーズＦ２において、脱臭運転制御部６２によって、除湿動作と給気動作とが同時に実行される。このため、除湿動作によって室内のニオイ成分を空気中から水分とともに回収しながら室内を高湿度にすることができるため、脱臭運転において除湿動作のみが実行される場合と比較して、室内の布や建材等に染みこんだニオイ成分を除去することができる。
【０１１２】
これによって、室内のニオイ成分を室内空気中に放散させ、かつ、放散させたニオイ成分を回収して除去することで室内を脱臭する室内の脱臭効率を向上させることができている。
【０１１３】
（２）
上記実施形態では、加湿ユニット５０は、加湿空気を生成することが可能な加湿部５７を有している。また、加湿部５７によって生成された加湿空気を含む室外空気は、加湿ユニット５０から室内機２へと供給される。この空気調和機１では、加湿部５７において室外空気から加湿空気が生成されているため、加湿部を備えていない空気調和機と比較して、室内により高湿度の空気を供給することができる。
【０１１４】
これによって、室内の布や建材等に染みこんだニオイ成分を室内空気中に放散させる脱臭効果を向上させることができている。
【０１１５】
（３）
上記実施形態では、脱臭運転制御部６２は、加湿ユニット５０の各種機器を制御することで、給気動作における加湿状態と換気状態とを切り換える。このため、常に加湿部が駆動するように制御されている場合と比較して、加湿ユニット５０における消費電力を小さくすることができる。
【０１１６】
これによって、省エネルギーを実現することができる。
【０１１７】
（４）
上記実施形態では、脱臭運転制御部６２は、脱臭運転のスチームアウトフェーズＦ１および水フィルタフェーズＦ２において、外気温度サーミスタ９１によって検知される外気温度値に基づいて、給気動作における加湿状態と換気状態とが切り換わるように、加湿ユニット５０の各種機器を制御する。具体的には、脱臭運転制御部６２は、外気温度が所定温度以上の場合には換気状態、すなわち、加湿部５７による積極的な加湿空気の生成が行われない状態となるように、加湿ユニット５０の各種機器を制御し、外気温度が所定温度未満の場合には加湿状態、すなわち、加湿部５７による積極的な加湿空気の生成が行われる状態となるように加湿ユニット５０の各種機器を制御する。
【０１１８】
このため、外気温度が３０℃以上ある場合には、出現率約８５％で３０℃６０％相当の絶対湿度があることが期待されるような高温多湿気候では、室外温度が高い場合には絶対湿度が高いことが期待されるため、室外温度が高いときに、給気動作の状態が、加湿部５７によって積極的な加湿空気の生成がされない換気状態であっても、室内空気よりも水分含有率の高い室外空気を室内機２に供給することができる。
【０１１９】
これによって、室内に高湿度な空気を供給することができている。
【０１２０】
また、上記実施形態では、高温多湿気候を前提として、室外温度に基づいて、脱臭運転における給気動作の状態が加湿状態と換気状態とが切り換えられるため、省エネルギーを実現するとともに室内の脱臭効果を得ることができる。
【０１２１】
（５）
上記実施形態では、脱臭運転制御部６２は、脱臭運転において、スチームアウトフェーズＦ１、水フィルタフェーズＦ２、調湿フェーズＦ３の順にフェーズを切り換える。このため、スチームアウトフェーズＦ１では、室外空気が加湿され、または、加湿されずに吸排気ホース６を通って室内機２へと供給される。また、スチームアウトフェーズＦ１では、室内温度値が目標温度値範囲Wに入るように、暖房動作や冷房動作等が行われる。したがって、スチームアウトフェーズＦ１では、室内空気の相対湿度が上昇するために、室内の布や建材等に染みこんだニオイ成分を室内空気中に放散させることができる。
【０１２２】
また、水フィルタフェーズＦ２では、除湿動作と給気動作とが同時に実行されている。このため、水フィルタフェーズＦ２では、除湿動作が実行されることによって、スチームアウトフェーズＦ１において相対湿度の上昇したニオイ成分を含む室内空気を室内機２内に取り込んで凝縮し、室内空気中に含まれていたニオイ成分を凝縮水とともに回収することができる。また、水フィルタフェーズＦ２では、給気動作が実行されることによって、スチームアウトフェーズＦ１において放散させきれなかった室内のニオイ成分を更に放散させることができる。
【０１２３】
さらに、調湿フェーズＦ３では、除湿動作が行われることによって、水フィルタフェーズＦ２において相対湿度が上昇した室内空気の湿度を下げることができる。したがって、脱臭運転終了後の室内環境の快適性を向上させることができる。また、調湿フェーズＦ３において、室内空気の湿度を下げることで、室内にカビ等が繁殖するおそれを減らすことができる。
【０１２４】
これによって、脱臭効率のよい脱臭運転を行うことができる。
【０１２５】
また、上記実施形態では、加湿ユニット５０から室外の空気が供給される吸排気ホース６端部の開口が、室内熱交換器１１の前方に設けられているため、室内熱交換器１１を通る空気流の室内熱交換器１１より上流側に吹き出す。このため、室内熱交換器１１は、水フィルタフェーズＦ２において、常に湿った状態を維持することができる。このため、フィルタフェーズにおいて、蒸発器として機能している室内熱交換器における水分の結露量を増やすことができる。したがって、室内熱交換器１１を通過する空気からニオイ成分を更に回収することができる。
【０１２６】
これによって、脱臭効果を向上させることができている。
【０１２７】
（６）
室内の布や建材等に染みこんだニオイ成分を室内空気中に放散させるためには、室内環境を高温高湿等の所定の環境にすることが好ましい。例えば、室内環境が高湿度な環境であっても、室内温度が極端に低い場合には、室内のニオイ成分を空気中に放散させる効果は低減するおそれがある。
【０１２８】
そこで、上記実施形態では、スチームアウトフェーズＦ１において、室内湿度値が目標湿度（例えば、６０％）値以上となるように、給気動作を行う。また、スチームアウトフェーズＦ１において、室内温度値が目標温度値範囲Wに入るように、冷房動作、または、暖房動作が行われる。このため、室内のニオイ成分を空気中に放散させる効果が低減するおそれを減らすことができる。
【０１２９】
また、上記実施形態では、スチームアウトフェーズＦ１において、室内温度値が目標温度値範囲Ｗに入るように、暖房動作、または、冷房動作が行われている。このため、室内温度が所定の第１温度より上昇することによって室内環境が悪化するおそれを減らすことができる。また、室内温度が所定の第２温度より低下することによって室内の絶対湿度が低下することで脱臭効果が低下するおそれを減らすことができる。
【０１３０】
さらに、上記実施形態では、水フィルタフェーズＦ２において、スチームアウトフェーズＦ１終了時の室内温度に基づいて、通常除湿動作または再熱除湿動作のいずれかの除湿動作が行われるように、圧縮機２１等の各種機器が制御される。具体的には、スチームアウトフェーズＦ１終了時の室内温度が高い場合には通常除湿動作が行われ、スチームアウトフェーズＦ１終了時の室内温度が低い場合には再熱除湿動作が行われる。このため、室内の温度が低い冬季等において、通常除湿動作が行われる場合と比較して、室内温度の低下を緩やかにすることができる。したがって、水フィルタフェーズＦ２において行われている室内のニオイ成分を空気中に放散させる効果が低減するおそれを減らすことができる。
【０１３１】
これによって、脱臭効果を向上させることができている。
【０１３２】
（７）
上記実施形態では、脱臭運転のスチームアウトフェーズＦ１および水フィルタフェーズＦ２において、吸排気ファン５４は、加湿運転時に吸排気ファン５４によって生成される風量のうちの最も大きい風量で回転するように制御されている。このため、例えば、吸排気ファンの風量が小さい場合と比較して、加湿ユニット５０から室内機２への室外空気の供給量を多くすることができる。したがって、室内のニオイ成分を空気中に放散させる効果を向上させることができる。
【０１３３】
これによって、脱臭効果を向上させることができている。
【０１３４】
（８）
上記実施形態では、空気を加湿したり除湿したりすることで脱臭運転を行っている。このため、イオンやケミカル製品等が使用されて脱臭運転が行われる場合と比較して、脱臭運転における安全性を確保することができる。
【０１３５】
＜変形例＞
（Ａ）
上記実施形態では、水フィルタフェーズＦ２の給気動作において、加湿状態と換気状態とが切り換わるように、加湿ユニット５０の各種機器が制御されている。
【０１３６】
これに代えて、水フィルタフェーズＦ２の給気動作において、加湿状態と換気状態と給気停止状態とが切り換えられてもよい。なお、給気停止状態とは、加湿ユニットから室内機への加湿空気の供給が停止されている状態のことである。以下に、脱臭運転制御部による水フィルタフェーズＦ２における給気動作の状態切り換え制御について図７を用いて説明する。なお、以下の所定の第５温度値および所定の第６温度値とは、所定の第５温度値の方が所定の第６温度値よりも大きい温度値とする。
【０１３７】
脱臭運転制御部は、水フィルタフェーズＦ２において、外気温度サーミスタによって検知される外気温度値に基づいて、加湿状態と換気状態と給気停止状態とが切り換わるように、加湿ユニットの各種機器を制御する。
【０１３８】
脱臭運転制御部は、室外温度値が所定の第６温度（例えば、０℃）値未満の場合には、室外空気が室内に供給されない給気停止状態となるように、加湿ユニットの各種機器を制御する。具体的には、給気停止状態では、脱臭運転制御部は、吸排気ファンの回転が停止するように、吸排気ファンを制御する。また、脱臭運転制御部は、室外温度値が所定の第６温度（例えば、０℃）値以上であり所定の第５温度（例えば、２４℃）値未満である場合には、加湿部によって加湿された室外空気が室内に供給される加湿状態となるように、加湿ユニットの各種機器を制御する。さらに、脱臭運転制御部は、室外温度値が所定の第５温度（例えば、２４℃）値以上である場合には、加湿部によって加湿されていない室外空気が室内に供給される換気状態となるように、加湿ユニットの各種機器を制御する。このため、室外温度値が所定の第６温度値未満である場合を除き、水フィルタフェーズＦ２では、脱臭運転制御部によって、除湿動作と給気動作とが同時に実行される。
【０１３９】
このように、室外温度が室内温度よりも極端に低い場合に給気動作を停止させることで、室外空気の供給による室内空気の温度低下を抑制することができる。また、給気停止状態で給気動作が行われた場合であっても、空気清浄フィルタにおいて空気中のニオイ成分を吸着することができるため、室内の脱臭を行うことができる。
【０１４０】
これによって、室内のニオイ成分を空気中に放散させる効果を向上させることができるため、脱臭効率を向上させることができる。
【０１４１】
また、これに加えて、水フィルタフェーズＦ２において、図７に示すＡゾーンでは、冷房運転時の冷房動作が行われ、ＢゾーンおよびＣゾーンでは、除湿動作が行われ、Ｃゾーンでは、サーモオフ状態の除湿動作が行われてもよい。なお、各ゾーンは、Ａゾーン、Ｂゾーン、Ｃゾーン、Ｄゾーンの順に室外温度値が高いものとする。
【０１４２】
（Ｂ）
上記実施形態では、脱臭運転のスチームアウトフェーズＦ１および水フィルタフェーズＦ２において、外気温度サーミスタ９１によって検知される外気温度値に基づいて、給気動作の加湿状態と換気状態とが切り換えられている。
【０１４３】
これに代えて、室外空気の湿度に基づいて、給気動作の換気状態と加湿状態とが切り換えられてもよい。例えば、図８に示すように、加湿ユニット５０が室外空気の湿度を検知する室外湿度センサ１９３を備えている空気調和機１について説明する。この空気調和機１では、給気動作において、室外湿度センサ１９３によって検知される室外湿度値に基づいて、加湿状態と換気状態とが切り換えられる。具体的には、通常運転制御部１６１および脱臭運転制御部１６２は、室外湿度値が所定の第１湿度（例えば、６０％）値以上である場合には、換気状態の給気動作を行う。また、通常運転制御部１６１および脱臭運転制御部１６２は、室外湿度値が所定の第１湿度（例えば、６０％）値未満である場合には、加湿状態の給気動作を行う。すなわち、通常運転制御部１６１および脱臭運転制御部１６２は、室外湿度が高い場合には給気動作の状態を換気状態に切り換え、室外湿度が低い場合には給気動作の状態を加湿状態に切り換える。このため、給気動作が行われることによって、室外の高湿度な空気を室内に供給することができる。
【０１４４】
また、室外空気の湿度が室外温度から推定されることによって、換気状態と加湿状態とが切り換えられる場合と比較して、室外空気の湿度が誤って判定されるおそれを減らすことができる。なお、図８において、符号１６０は制御部を示し、符号１６３は風量調整部を示している。また、図８では、制御部１６０、通常運転制御部１６１、脱臭運転制御部１６２、風量調整部１６３および室外湿度センサ１９３以外の符号については、上記実施形態と同様の符号を付している。
【０１４５】
また、給気動作の換気状態と加湿状態とは、吸排気ホース内において結露が発生しているか否かに基づいて、切り換えられてもよい。例えば、高湿度領域で急激に電気抵抗値が上昇する結露センサが吸排気ホース内部に設けられている空気調和機について説明する（図９参照）。
【０１４６】
この空気調和機では、加湿状態の給気動作が行われているときに、結露センサから送信される電気抵抗値が所定値以上となった場合には、制御部は、吸排気ホース内が結露状態であると判定し、加湿状態から換気状態に状態を切り換えるか、もしくは、給気動作を停止する。また、換気状態の給気動作が行われているときに、結露センサから送信される電気抵抗値が所定値未満となった場合には、制御部は、吸排気ホース内が非結露状態であると判定し、換気状態から加湿状態に状態を切り換えるか、もしくは、給気動作を開始させる。このように、この空気調和機では、吸排気ホース内の結露状態を外気温度等によって推定していた従来の空気調和機と比較して、吸排気ホース内の状態をより直接的に監視することができる。したがって、実際には吸排気ホースが結露していないにもかかわらず室内機に供給される加湿空気の量が調節される等の加湿ユニットの機能が制限されるおそれを減らすことができる。
【０１４７】
（Ｃ）
上記実施形態では、室外空気が供給される吸排気ホース６端部の開口は、室内熱交換器１１の前方に設けられている。このため、室外空気は、室内熱交換器１１の表面に吹き出されている。
【０１４８】
これに代えて、室外の空気が、室内機内を通らずに、加湿ユニットから室内に直接供給されるような構成にしてもよい。このような構成にすることによって、脱臭運転の水フィルタフェーズにおいて、室内に除湿されていない高湿度な空気を供給することができる。
【０１４９】
（Ｄ）
上記実施形態では、水フィルタフェーズにおいて除湿動作と加湿動作とが同時に実行されているが、これに代えて、除湿動作と加湿動作とが交互に実行されてもよい。また、脱臭運転において、給気動作によって室外空気を室内に供給した後に、除湿動作によって室内の空気が除湿されてもよい。
【産業上の利用可能性】
【０１５０】
本発明は、給気動作と除湿動作とを同時に実行することで室内の脱臭効率を向上させることができるため、脱臭運転を行う空気調和機への適用が有効である。
【図面の簡単な説明】
【０１５１】
【図１】本発明の実施形態に係る空気調和機の正面図。
【図２】本発明の実施形態に係る空気調和機の概略冷媒回路図。
【図３】室外機の分解斜視図。
【図４】本発明の実施形態に係る空気調和機の備える制御部の制御ブロック図。
【図５】脱臭運転における制御動作の一例を示す図。
【図６】スチームアウトフェーズにおける除湿動作と給気動作とを示す図。
【図７】変形例（Ａ）の水フィルタフェーズにおける除湿動作と給気動作とを示す図。
【図８】変形例（Ｂ）に係る空気調和機の備える制御部の制御ブロック図。
【図９】変形例（Ｂ）に係る結露センサの電気抵抗値と結露状態および非結露状態とを示す図。
【符号の説明】
【０１５２】
１空気調和機
１１      室内熱交換器
１１ａ    第１室内熱交換器（第１室内熱交換部）
１１ｂ    第２室内熱交換器（第２室内熱交換部）
５０      加湿ユニット（給気手段）
５４      吸排気ファン（給気ファン）
５７      加湿部
９１      外気温度サーミスタ（温度検知部）
１９３      室外湿度センサ（湿度検知部）
６０，１６０  制御部
６３，１６３  風量調整部
Ｆ１      スチームアウトフェーズ（高湿度フェーズ）
Ｆ２      水フィルタフェーズ（除湿加湿同時実行フェーズ）
Ｆ３      調湿フェーズ
【図１】
2010065884.tif 000003
【図２】
2010065884.tif 000004
【図３】
2010065884.tif 000005
【図４】
2010065884.tif 000006
【図５】
2010065884.tif 000007
【図６】
2010065884.tif 000008
【図７】
2010065884.tif 000009
【図８】
2010065884.tif 000010
【図９】
2010065884.tif 000011
【手続補正書】
【提出日】平成22年1月18日(2010.1.18)
【手続補正１】
【補正対象書類名】特許請求の範囲
【補正対象項目名】全文
【補正方法】変更
【補正の内容】
【特許請求の範囲】
【請求項１】
室内の空気との間で熱交換を行う室内熱交換器（１１）と、
前記室内の空気よりも含有水分量の多い多湿空気を前記室内に給気可能な給気手段（５０）と、
前記室内熱交換器において前記室内の空気が除湿される除湿動作と前記給気手段によって前記多湿空気が前記室内に供給される給気動作とが同時に実行される除湿加湿同時実行フェーズ（Ｆ２）と、前記給気動作が実行され前記除湿動作が実行されない高湿度フェーズ（Ｆ１）と、を含む脱臭運転を行う制御部（６０，１６０）と、
を備え、
前記制御部は、前記脱臭運転において、前記高湿度フェーズ（Ｆ１）、前記除湿加湿同時実行フェーズの順にフェーズを切り換える、
空気調和機（１）。
【請求項２】
前記給気手段は、前記室内へ供給される空気を加湿することが可能な加湿部（５７）を有する、
請求項１に記載の空気調和機。
【請求項３】
前記制御部は、前記給気手段を制御することで、前記加湿部によって生成された加湿空気を含む前記多湿空気を前記室内に供給する第１状態と、室外の空気を含む前記多湿空気を前記室内に供給する第２状態とに切り換える、
請求項２に記載の空気調和機。
【請求項４】
前記室外の空気の温度を検知する温度検知部（９１）を更に備え、
前記制御部は、前記温度検知部の検知結果に基づいて、前記第１状態と前記第２状態とを切り換える、
請求項３に記載の空気調和機。
【請求項５】
前記室外の空気の湿度を検知する湿度検知部（１９３）を更に備え、
前記制御部は、前記湿度検知部の検知結果に基づいて、前記第１状態と前記第２状態とを切り換える、
請求項３に記載の空気調和機。
【請求項６】
前記制御部は、前記脱臭運転において、前記除湿加湿同時実行フェーズ、前記除湿動作が実行され前記給気動作が実行されない調湿フェーズ（Ｆ３）の順にフェーズを切り換える、
請求項１から５のいずれかに記載の空気調和機。
【請求項７】
前記制御部は、前記高湿度フェーズにおいて、前記室内の温度が所定温度以上となるように制御し、かつ、前記室内の湿度が所定湿度以上となるように制御する、
請求項６に記載の空気調和機。
【請求項８】
前記室内熱交換器は、第１室内熱交換部（１１ａ）と第２室内熱交換部（１１ｂ）とを有し、
前記制御部は、前記除湿加湿同時実行フェーズにおいて、前記室内の温度に基づいて、前記第１室内熱交換部を放熱器または吸熱器として機能させ、前記第２室内熱交換部を吸熱器として機能させる、
請求項１から７のいずれかに記載の空気調和機。
【請求項９】
前記給気手段は、前記室外の空気を前記室内に供給するための給気ファン（５４）を有し、
前記制御部は、前記給気ファンの風量を調整する風量調整部（６３，１６３）を有し、前記脱臭運転において前記風量調整部を用いて前記給気ファンの風量を調整することで前記多湿空気の前記室内への供給量の制御を行う、
請求項１から８のいずれかに記載の空気調和機。
【手続補正２】
【補正対象書類名】明細書
【補正対象項目名】全文
【補正方法】変更
【補正の内容】
【発明の詳細な説明】
【技術分野】
【０００１】
本発明は、加湿機能および除湿機能を備える空気調和機に関する。
【背景技術】
【０００２】
従来より、加湿等によって相対湿度を上昇させた空気を凝縮することで、空気中に含まれるニオイ成分等を凝縮水とともに回収する方法が提案されている。
【０００３】
例えば、室内から取り込んだ空気を加湿する加湿部と、加湿部で加湿された空気を除湿する除湿部とを備える空気清浄機がある（特許文献１参照）。この空気清浄機では、室内から取り込んだ汚染空気が加湿部において湿度を高められて高湿度空気が生成され、生成された高湿度空気が除湿部において除湿される。このとき、除湿によって凝縮された凝縮水に空気中の汚染物質を取り込むことで、除湿後の空気を清浄化している。このように、この空気清浄機は、室内の空気を取り込んで清浄化して、清浄空気を室内に戻す空気清浄機能を有している。
【０００４】
また、加湿機能と除湿機能とを有する加湿・除湿装置を備える揮発性有機化合物の除去装置がある（特許文献２参照）。この除去装置では、室内を加湿する第１工程終了後に、加湿された室内の空気を除湿する第２工程が行われている。この除去装置では、第１工程において室内を加湿することで建材等に付着した揮発性有機化合物を空気中に放散させ、第２工程において放散した揮発性有機化合物を空気とともに凝縮して、揮発性有機化合物を含む凝縮水を回収している。これによって、室内の揮発性有機化合物の除去を行っている。
【特許文献１】特開２００５−１０６３５８号公報
【特許文献２】特開２００５−１２５０８５号公報
【発明の開示】
【発明が解決しようとする課題】
【０００５】
しかしながら、特開２００５−１０６３５８号公報に開示されている空気清浄機では、室内から取り込まれた空気を加湿しているため、室内の布や建材等に付着したニオイ成分を十分に除去できないおそれがある。
【０００６】
また、特開２００５−１２５０８５号公報に開示されている揮発性有機化合物の除去装置では、室内が加湿される第１工程において室内の布や建材等に染みこんだニオイ成分を空気中に十分に放散できずに第２工程に移行した場合、第２工程において室内のニオイ成分の除去が十分に行われないおそれがある。このため、上述のような空気清浄機能または除去装置を空気調和機の搭載した場合であっても、室内の脱臭が十分に行われないおそれがある。
【０００７】
そこで、本発明の課題は、室内の脱臭効率を向上させることができる空気調和機を提供することにある。
【課題を解決するための手段】
【０００８】
第１発明に係る空気調和機は、室内熱交換器と、給気手段と、制御部とを備えている。室内熱交換器は、室内の空気との間で熱交換を行う。給気手段は、室内の空気よりも含有水分量の多い多湿空気を室内に給気可能である。制御部は、除湿動作と給気動作とが同時に実行される除湿加湿同時実行フェーズと、給気動作が実行され除湿動作が実行されない高湿度フェーズと、を含む脱臭運転を行う。除湿動作とは、室内熱交換器において室内の空気が除湿される動作のことである。また、給気動作とは、給気手段によって、多湿空気が室内に供給される動作のことである。さらに、制御部は、脱臭運転において、高湿度フェーズ、除湿加湿同時実行フェーズの順にフェーズを切り換える。
【０００９】
第１発明に係る空気調和機では、脱臭運転に含まれる除湿加湿同時実行フェーズにおいて、除湿動作と給気動作とが同時に実行される。このため、例えば、脱臭運転において除湿動作のみが実行される場合と比較して、室内の布や建材等に付着したニオイ成分を除去することができる。
【００１０】
これによって、室内の脱臭効率を向上させることができる。
【００１１】
また、制御部は、脱臭運転において、高湿度フェーズ、除湿加湿同時実行フェーズの順にフェーズを切り換える。高湿度フェーズでは、室内に多湿空気が供給されることで、室内の布や建材等に染みこんだニオイ成分を空気中に放散させやすくすることができる。また、除湿加湿同時実行フェーズでは、除湿動作と給気動作が同時に実行されることで、除湿動作によって空気中に放散されているニオイ成分を回収しつつ、給気動作によって室内に多湿空気を供給することで室内の布や建材等に染みこんだニオイ成分を更に放散させやすくすることができる。これにより、脱臭運転において、除湿加湿同時実行フェーズのみが行われる場合と比較して、室内の布や建材等に染みこんだニオイ成分を効率よく回収することができる。
【００１２】
第２発明に係る空気調和機は、第１発明の空気調和機であって、給気手段は、室内へ供給される空気を加湿することが可能な加湿部を有する。このため、この空気調和機では、多湿空気を加湿して室内に供給することができる。
【００１３】
これによって、室内の布や建材等に染みこんだニオイ成分を空気中に放散させる脱臭効果を向上させることができる。
【００１４】
第３発明に係る空気調和機は、第２発明の空気調和機であって、制御部は、給気手段を制御することで、第１状態と第２状態とを切り換える。第１状態では、加湿部によって生成された加湿空気を含む多湿空気が室内に供給される。また、第２状態では、室外の空気を含む多湿空気が室内に供給される。
【００１５】
第３発明に係る空気調和機では、脱臭運転の給気動作において、第１状態と第２状態とが切り換えられる。このため、例えば、第１状態では加湿部を駆動させることによって生成された加湿空気を含む室外空気が供給されており、第２状態では加湿部が駆動されずに室外の空気が室内に供給されている場合、常に加湿部が駆動される場合と比較して、給気手段において省エネルギーを実現することができる。
【００１６】
第４発明に係る空気調和機は、第３発明の空気調和機であって、室外の空気の温度を検知する温度検知部を更に備える。また、制御部は、温度検知部の検知結果に基づいて、第１状態と第２状態とを切り換える。このため、例えば、室外の空気の温度が高い場合には室外の空気の絶対湿度が高いことが期待される高温多湿な気候において、制御部によって室外の温度が低いと判断された場合に第１状態に切り換えられ、制御部によって室外の温度が高いと判断された場合に第２状態に状態が切り換えられる場合、第２状態の給気動作であっても室外の高湿度な空気を室内に供給することができる。
【００１７】
これによって、室内に高湿度な空気を供給することができる。
【００１８】
第５発明に係る空気調和機は、第３発明の空気調和機であって、室外の空気の湿度を検知する湿度検知部を更に備える。また、制御部は、湿度検知部の検知結果に基づいて、第１状態と第２状態とを切り換える。このため、例えば、制御部によって室外の湿度が低いと判断された場合に第１状態に切り換えられ、制御部によって室外の湿度が高いと判断された場合に第２状態に切り換えられる場合、第２状態の給気動作であっても室内には高湿度の空気が供給される。
【００１９】
これによって、室内に高湿度な空気を供給することができる。
【００２０】
第６発明に係る空気調和機は、第１発明から第５発明の空気調和機であって、制御部は、脱臭運転において、除湿加湿同時実行フェーズ、除湿動作を含む調湿フェーズの順にフェーズを切り換える。調湿フェーズでは、除湿加湿同時実行フェーズで多湿空気が供給された室内が除湿動作によって除湿されるため、脱臭運転に調湿フェーズが含まれない場合と比較して、脱臭運転終了後の室内環境の快適性を向上させることができる。
【００２１】
これによって、脱臭効率のよい脱臭運転を行うことができる。
【００２２】
第７発明に係る空気調和機は、第６発明の空気調和機であって、制御部は、高湿度フェーズにおいて、室内の温度が所定温度以上となるように制御し、かつ、室内の湿度が所定湿度以上となるように制御する。このため、この空気調和機では、室内の湿度や温度が脱臭効果の得られないような温度や湿度まで低下し難くすることができる。
【００２３】
これによって、脱臭効果が低減するおそれを減らすことができる。
【００２４】
第８発明に係る空気調和機は、第１発明から第７発明のいずれかの空気調和機であって、室内熱交換器は、第１室内熱交換部と第２室内熱交換部とを有する。また、制御部は、除湿加湿同時実行フェーズにおいて、室内の温度に基づいて、第１室内熱交換部を放熱器または吸熱器として機能させ、第２室内熱交換部を吸熱器として機能させる。このため、この空気調和機では、室内の温度が低い冬季等において、第１室内熱交換部および第２室内熱交換部が共に吸熱器として機能することによって室内温度が脱臭効果の得られないような温度まで低下するおそれを減らすことができる。
【００２５】
これによって、脱臭効果を維持することができる。
【００２６】
第９発明に係る空気調和機は、第１発明から第８発明のいずれかの空気調和機であって、給気手段は、室外の空気を室内に供給するための給気ファンを有する。また、制御部は、給気ファンの風量を調整する風量調整部を有する。さらに、制御部は、脱臭運転において、風量調整部を用いて空気ファンの風量を調整することで、多湿空気の室内への供給量の制御を行う。このため、例えば、脱臭運転時における給気ファンの風量を大きくすることで、室内への多湿空気の供給量を増やすことができる。
【００２７】
これによって、脱臭効果を向上させることができる。
【発明の効果】
【００２８】
第１発明に係る空気調和機では、室内の脱臭効率を向上させることができる。
【００２９】
第２発明に係る空気調和機では、脱臭効果を向上させることができる。
【００３０】
第３発明に係る空気調和機では、給気手段において省エネルギーを実現することができる。
【００３１】
第４発明に係る空気調和機では、室内に高湿度な空気を供給することができる。
【００３２】
第５発明に係る空気調和機では、室内に高湿度な空気を供給することができる。
【００３３】
第６発明に係る空気調和機では、脱臭効率のよい脱臭運転を行うことができる。
【００３４】
第７発明に係る空気調和機では、脱臭効果が低減するおそれを減らすことができる。
【００３５】
第８発明に係る空気調和機では、脱臭効果を維持することができる。
【００３６】
第９発明に係る空気調和機では、脱臭効果を向上させることができる。
【発明を実施するための最良の形態】
【００３７】
＜空気調和機の構成＞
本発明の一実施形態に係る空気調和機１は、図１および図２に示すように、室外機３と、室内機２とを備えている。また、この空気調和機１は、冷房運転、暖房運転、加湿運転、給気運転および排気運転等の通常運転の他に、室内を脱臭する脱臭運転を行うことが可能である。なお、ここでいう脱臭運転とは、室内の布や建材等に染みこんだニオイ成分等を室内空気中に放散させ、空気中に放散したニオイ成分を室外に排出することが可能な運転のことである。また、室外機３は、室外熱交換器２４や室外ファン２９などを内部に収容する室外空調ユニット２０と、加湿ユニット５０とを備えている。室内機２の内部には室内熱交換器１１が収容されている。また、加湿ユニット５０と室内機２との間には、加湿ユニット５０の内部空間と室内機２の内部空間と連通させることが可能な吸排気ホース６が設けられている。吸排気ホース６は、一端が加湿ユニット５０の後述する吸排気ダクト５８に接続されており、他端が室内機２の内部に延びている。
【００３８】
＜室内機の構成＞
室内機２は、室内の壁面等に設置される壁掛け型の室内機である。また、室内機２は、図２に示すように、冷媒配管を介して室外機３に接続されている。さらに、室内機２内には、図２に示すように、室内ファン１２および上述の室内熱交換器１１等が収容されている。
【００３９】
室内熱交換器１１は、長手方向両端で複数回折り返されてなる伝熱管と、伝熱管から挿通される複数のフィンとからなり、接触する空気との間で熱交換を行う。また、室内熱交換器１１は、第１室内熱交換器１１ａと第２室内熱交換器１１ｂとから構成されており、第１室内熱交換器１１ａと第２室内熱交換器１１ｂとの間には、室内膨張弁１７が設けられている。
【００４０】
室内ファン１２は、円筒形状に構成され、周面には回転軸方向に羽根が設けられているクロスフローファンである。室内ファン１２は、回転駆動することによって、回転軸と交わる方向に空気流を生成する。室内ファン１２は、室内の空気を室内機２内に吸い込ませるとともに、室内熱交換器１１との間で熱交換を行った後の空気を室内に吹き出させる。
【００４１】
また、吸排気ホース６の端部には開口が設けられており、上述のように吸排気ホース６は室内機２内部に延びている。また、吸排気ホース６の開口は、第１室内熱交換器１１ａおよび第２室内熱交換器１１ｂの表面と対向する位置、すなわち、室内ファン１２が回転し空気流が生成されている状態で、室内機２の上部に設けられている空気取込口２ａの下流側であり、かつ、第１室内熱交換器１１ａおよび第２室内熱交換器１１ｂの上流側の位置に配置されている。このため、吸排気ホース６を通ってきた室外空気は、第１室内熱交換器１１ａおよび第２室内熱交換器１１ｂの表面の一部に吹き出され、第１室内熱交換器１１ａおよび第２室内熱交換器１１ｂを通って熱交換される。なお、本実施形態では、吸排気ホース６を通ってきた室外空気が第１室内熱交換器１１ａおよび第２室内熱交換器１１ｂの表面の一部に吹き出されているが、これに限定されず、吸排気ホースを通ってきた室外空気が第１室内熱交換器および第２室内熱交換器の表面の全体に吹き出されてもよい。
【００４２】
また、室内機２に形成されている室内空気吹き出し口２ｂの近傍には、水平フラップ９が設けられている。水平フラップ９は、室内機２の長手方向に長い形状を有する板状の部材であり、室内空気吹き出し口２ｂから吹き出される空気を案内する。水平フラップ９は、室内機２の長手方向に平行な回転軸を有しており、回転軸を中心に回転することにより、空気の案内方向を変更する。これによって、室内から室内機２内に取り込まれた空気、または、吸排気ホース６を介して室内機２内に供給された室外空気が、熱交換によって調和され、室内空気吹き出し口２ｂを通じて室内に吹き出される。
【００４３】
＜室外機の構成＞
室外機３は、図１および図２に示すように、下部の室外空調ユニット２０と、上部の加湿ユニット５０とから構成されている。このため、この室外機３では、室外空調ユニット２０と加湿ユニット５０との電源を一元化することができる。
【００４４】
室外空調ユニット２０内には、図２に示すように、圧縮機２１と、圧縮機２１の吐出側に接続される四路切換弁２２と、圧縮機２１の吸入側に接続されるアキュムレータ２３と、四路切換弁２２に接続された室外熱交換器２４と、室外熱交換器２４に接続された室外膨張弁２５とが収容されている。室外膨張弁２５は、フィルタ２６および液閉鎖弁２７を介して液冷媒配管に接続されており、この液冷媒配管を介して第１室内熱交換器１１ａの一端と接続されている。また、四路切換弁２２は、室内ガス閉鎖弁２８を介してガス冷媒配管に接続されており、このガス冷媒配管を介して第２室内熱交換器１１ｂの一端と接続されている。
【００４５】
また、加湿ユニット５０は、図２および図３に示すように、室外機３の上部に配置されており、加湿ユニットケーシング７と、加湿ユニット本体５とを備えている。加湿ユニット５０は、室内から取り込まれた空気を室外へと排気したり、室外から取り込まれた室外空気を室内へと供給したりすることができる。また、室外空気を加湿して室内へと供給することもできる。
【００４６】
加湿ユニットケーシング７は、図３に示すように、加湿ロータ５１、加熱装置５２、吸排気ファン５４、吸排気切り換えダンパ５３および吸着用送風装置５５等を収納している。
【００４７】
加湿ユニットケーシング７の前面には、図１、図２および図３に示すように、複数のスリット状の開口からなる吸着用空気吹き出し口７ａが設けられている。また、加湿ユニットケーシング７の背面には、吸着用空気取込口７ｂおよび吸排気口７ｃが設けられている。吸着用空気取込口７ｂは、加湿ロータ５１に水分を吸着させるために室外から取り込まれる空気が通る開口である。吸排気口７ｃは、加湿運転時または脱臭運転時に、室外から加湿ユニット５０内に取り込まれ室内機２に送られる空気が通る開口である。また、吸排気口７ｃは、排気運転時に、室内機２から取り込まれ加湿ユニット５０内から室外へと排気される空気が通る開口である。
【００４８】
加湿ユニット本体５は、図２に示すように、室外空気を室内に給気したり室内空気を室外に排気したりすることが可能な吸排気部５６と、室内へ供給される空気を加湿することが可能な加湿部５７とを備えている。吸排気部５６は、主に、吸排気切り換えダンパ５３および吸排気ファン５４を有している。また、加湿部５７は、主に、加湿ロータ５１、加熱装置５２および吸着用送風装置５５を有している。
【００４９】
以下に、吸排気ファン５４、吸排気切り換えダンパ５３、加湿ロータ５１、加熱装置５２、吸着用送風装置５５の順に説明する。
【００５０】
吸排気ファン５４は、加湿ロータ５１の側方に配置されており、室外から取り込まれ室内機２へと送られる空気の流れを生成するラジカルファン組立体である。吸排気ファン５４は、吸排気口７ｃから加湿ロータ５１および吸排気切り換えダンパ５３を経て室内へと到る空気の流れを生成して、室外から取り入れた空気を室内機２へと送る。また、吸排気ファン５４は、室内機２から取り入れた室内の空気を室外へと排出することもできる。なお、吸排気ファン５４は、後述する吸排気切り換えダンパ５３が切り換わることによって、これらの動作を切り換える。また、吸排気ファン５４は、図２に示すように、室外から取り入れた空気を室内機２へと送る場合には、加湿ロータ５１のうちの加熱装置５２と対向する部分を通過した空気を、吸排気切り換えダンパ５３を経て吸排気ダクト５８へと送り出す。吸排気ダクト５８は、吸排気ホース６に接続されているため、吸排気ファン５４は、吸排気ダクト５８および吸排気ホース６を介して室外の空気を室内機２へと供給する。なお、吸排気ホース６を通って室内機２へ送られる空気は、上述のように室内機２内部において室内熱交換器１１の表面に吹き出される。また、吸排気ファン５４は、室内機２から取り入れた室内の空気を室外へと排出する場合には、吸排気ホース６および吸排気ダクト５８を通ってきた室内の空気を吸排気口７ｃから室外へと排出する。
【００５１】
吸排気切り換えダンパ５３は、吸排気ダンパと、吸排気ダンパを回転させるための吸排気ダンパ駆動用モータ５３ａ（図４参照）とを含む、回転式の空気流路切換機構である。また、吸排気切り換えダンパ５３は、吸排気ファン５４の下方に配置される。さらに、吸排気切り換えダンパ５３では、吸排気ダンパ駆動用モータ５３ａが吸排気ダンパを回転させることで、給気状態と排気状態とが切り換えられる。
【００５２】
給気状態では、吸排気ファン５４が回転することによって、加湿ユニット５０側から室内機２側に向かう空気流が生成される。例えば、吸排気切り換えダンパ５３が給気状態である場合、吸排気ファン５４から吹き出された空気は、吸排気ダクト５８を経て吸排気ホース６を通って室内機２へと供給されるようになる。これにより、給気状態では、図２に示すＡ１方向に空気が流れ、室外の空気が吸排気ホース６を通って室内機２へと供給される。
【００５３】
排気状態では、吸排気ファン５４が回転することによって、室内機２側から加湿ユニット５０側に向かう空気流が生成される。例えば、吸排気切り換えダンパ５３が排気状態である場合、室内機２から取り込まれた室内の空気は、吸排気ホース６を経て吸排気ダクト５８を通って室外へと排気されるようになる。これにより、排気状態では、図２に示すＡ２方向に空気が流れ、室内機２から吸排気ホース６および吸排気ダクト５８を通ってきた空気が、吸排気口７ｃを経て室外へと排気される。
【００５４】
加湿ロータ５１は、ハニカム構造のセラミックロータであり、概ね円盤形状の外形を有している。また、加湿ロータ５１は、回転可能に設けられており、ロータ駆動用モータによって回転駆動される。さらに、加湿ロータ５１の主たる部分は、ゼオライト等の吸着剤から焼成されている。ゼオライト等の吸着剤は、接触する空気中の水分を吸着するとともに、吸着した水分を加熱されることによって脱着するという性質を有している。なお、本実施形態では、吸着剤としてゼオライトを用いているが、シリカゲルやアルミナ等を吸着剤として用いることも可能である。
【００５５】
加熱装置５２は、加湿ロータ５１の上方に位置しており、加湿ロータ５１に対向して配置されている。また、加熱装置５２は、加湿ロータ５１へ送られる空気を加熱することにより、加湿ロータ５１を加熱することができる。
【００５６】
吸着用送風装置５５は、吸着用ファンモータ５９ｂと、吸着用ファンモータ５９ｂによって回転駆動される吸着ファン５９ａとを有し、加湿ロータ５１のうちの加熱装置５２と対向しない部分を通過する空気の流れを生成する。すなわち、吸着用送風装置５５は、吸着用空気吸入口７ｂから吸い込まれ、加湿ロータ５１のうちの加熱装置５２と対向しない部分を通過し、ベルマウス５９ｃの開口を通り、吸着用空気吹き出し口７ａから室外へ排出される空気の流れを生成する。
【００５７】
このような構成によって、加湿部５７では、吸着ファン５９ａを回転駆動させることによって加湿ユニットケーシング７内に取り入れられた室外の空気が、加湿ロータ５１および吸着ファン５９ａを介して、加湿ユニットケーシング７外に排出される。このとき、室外から取り入れられた空気が、加湿ロータ５１の左側略半分の部分を通過する際に、加湿ロータ５１によって空気中に含まれている水分が吸着される。そして、加熱装置５２によって加湿ロータ５１が加熱されることで、吸排気ファン５４によって生成される空気流中に加湿ロータ５１に吸着されていた水分が離脱して加湿空気が生成される。
【００５８】
このため、加湿ユニット５０では、上述のように、吸排気切り換えダンパ５３が給気状態である場合、吸排気ファン５４から吹き出された空気が、吸排気ダクト５８を経て吸排気ホース６を通って室内機２へと供給される。このとき、加湿部５７の加湿ロータ５１および吸着ファン５９ａが回転駆動しており、かつ、加熱装置５２によって加湿ロータ５１が加熱されている場合には、加湿部５７において生成された加湿空気を含む室外空気が、吸排気ホース６を通って室内機２へと供給される。このため、吸排気切り換えダンパ５３が給気状態では、図１に示すＡ１方向に空気が流れ、室外空気が加湿され、または、加湿されずに吸排気ホース６を通って室内機２へと供給されることになる。
【００５９】
また、空気調和機１は、冷房運転、暖房運転、除湿運転、加湿運転、排気運転、および、脱臭運転等の各種運転が行われるように、空気調和機１の有する各種機器を制御する制御部６０を備えている。以下に、制御部６０について説明する。
【００６０】
＜制御部＞
制御部６０は、図４に示すように、室内機２、室外空調ユニット２０および加湿ユニット５０の各種機器と接続されており、リモートコントローラ８０等を介したユーザからの指令に基づいて、冷房運転、暖房運転、除湿運転、加湿運転、排気運転、および、脱臭運転等の各運転モードに応じて各種機器の動作制御を行う。
【００６１】
また、制御部６０は、通常運転制御部６１と、脱臭運転制御部６２とを備えている。通常運転制御部６１は、各種機器の動作制御を行うことで、空気調和機１において冷房運転、暖房運転、除湿運転、加湿運転および排気運転等を含む通常運転が行われるように、前記運転の運転制御を行う。例えば、ユーザによってリモートコントローラ８０を介して加湿運転開始指令が為された場合、通常運転制御部６１は、空気調和機１において加湿運転が行われるように、圧縮機２１等の各種機器の動作制御を行う。また、加湿運転時における各種機器の制御動作には、給気動作が含まれる。
【００６２】
なお、本実施形態における給気動作とは、室外空気が加湿され、または、加湿されずに吸排気ホース６を通って室内機２へと供給されるように、通常運転制御部６１または脱臭運転制御部６２によって加湿ユニット５０の有する各種機器が制御される制御動作のことである。また、給気動作には、通常運転制御部６１または脱臭運転制御部６２によって加湿部５７が駆動されることで積極的に加湿空気が生成される加湿状態（第１状態に相当）で吸排気ファン５４によって室外空気が室内機２へと送られる給気動作である加湿給気動作と、通常運転制御部６１または脱臭運転制御部６２によって加湿部５７が駆動されないために積極的な加湿空気の生成がされない換気状態（第２状態に相当）で吸排気ファン５４によって室外空気が室内機２へと送られる換気給気動作とが含まれる。
【００６３】
このため、加湿給気動作が行われている加湿運転実行中に室内の湿度が設定湿度に到達した場合、通常運転制御部６１は、室内の湿度が設定湿度と等しくなるように、加湿給気動作から換気給気動作に切り換える。具体的には、通常運転制御部６１は、加湿給気動作が行われている加湿運転実行中に室内の湿度が設定湿度に到達した場合、加湿部５７の加湿ロータ５１および吸着ファン５９ａの回転を停止させ、かつ、加熱装置５２における加湿ロータ５１の加熱を停止させる制御を行うことによって、加湿部５７における積極的な加湿空気の生成を停止させることで室内機２に供給される加湿空気の量を調整する。このようにして、空気調和機１において加湿運転が行われる。
【００６４】
なお、本実施形態では、加湿運転実行中に室内の湿度が設定湿度に到達した場合には、通常運転制御部６１が加湿部５７の加湿ロータ５１および吸着ファン５９ａの回転を停止させ、かつ、加熱装置５２における加湿ロータ５１の加熱を停止させる制御を行うことで室内への加湿空気の供給量を調節しているが、室内への加湿空気の供給量の調節手段はこれに限定されず、例えば、通常運転制御部によって、加湿部の加湿ロータおよび吸着ファンの回転を停止させ、かつ、加熱装置における加湿ロータの加熱を停止させ、さらに、吸排気ファンの回転が停止される制御が行われてもよい。また、室内への加湿空気の供給量の調節手段としては、例えば、通常運転制御部によって、加湿ロータおよび吸着ファン５９ａの回転を停止させる制御は行われずに、加熱装置の温度を低下させる制御が行われてもよい。また、本実施形態では、加湿運転実行中に室内の湿度が設定湿度に到達した場合以外にも、室内熱交換器１１の温度に基づいて、加湿部５７が制御されることで、室内機２に供給される加湿空気の量が調節される。
【００６５】
また、ユーザによってリモートコントローラ８０を介して除湿運転開始指令が為された場合、通常運転制御部６１は、空気調和機１において除湿運転が行われるように、圧縮機２１等の各種機器の動作制御を行う。また、除湿運転における各種機器の動作制御には、除湿動作が含まれる。除湿運転における除湿動作とは、通常運転制御部６１によって、室内熱交換器１１が吸熱器として機能するように、各種機器が制御される動作のことである。なお、除湿運転における除湿動作には、通常運転制御部６１によって、第１室内熱交換器１１ａおよび第２室内熱交換器１１ｂが吸熱器として機能するように各種機器が制御される通常除湿動作と、第１室内熱交換器１１ａが放熱器として機能し、かつ、第２室内熱交換器１１ｂが吸熱器として機能するように各種機器が制御される再熱除湿動作とが含まれる。なお、再熱除湿動作および通常除湿動作については、後に説明する。さらに、空気調和機１において除湿運転が実行されている間に室内温度が設定温度よりも低下した場合には、通常運転制御部６１によって各種機器が制御されることで、サーモオフが行われるか、もしくは、除湿運転から暖房運転に運転が切り換わる。なお、本実施形態では、除湿運転における除湿動作として冷房動作が含まれていないが、これに限定されず、除湿運転における除湿動作として冷房動作が含まれていてもよい。
【００６６】
また、脱臭運転制御部６２は、空気調和機１において脱臭運転が行われるように、各種機器の動作制御を行う。また、脱臭運転制御部６２は、吸排気ファン５４の回転数を制御する風量調整部６３を有している。風量調整部６３は、吸排気ファン５４の回転数を制御することによって、脱臭運転において室内に吹き出される室外空気の供給量を調整する。
【００６７】
また、脱臭運転制御部６２は、図５に示すように、脱臭運転において、スチームアウトフェーズＦ１、水フィルタフェーズＦ２、調湿フェーズＦ３の順にフェーズを切り換える。
【００６８】
スチームアウトフェーズＦ１では、脱臭運転制御部６２が、水平フラップ９の傾斜角度が所定角度となるようにフラップ駆動モータ９ａの動作制御を行う。また、脱臭運転制御部６２は、室内ファン１２が所定風量となるように、室内ファン１２の回転を制御する。なお、ここでいう室内ファン１２の所定風量とは、例えば、通常運転時の設定風量と等しい風量である。さらに、風量調整部６３は、吸排気ファン５４が所定風量となるように、吸排気ファン５４の回転を制御する。なお、ここでいう吸排気ファン５４の所定風量とは、加湿運転時に吸排気ファン５４によって生成される風量のうちの最も大きい風量である。
【００６９】
また、脱臭運転制御部６２は、スチームアウトフェーズＦ１において、室内湿度センサ９０によって検知される室内湿度値が目標湿度（例えば、６０％）値以上となるように、給気動作を行う。また、脱臭運転制御部６２は、外気温度サーミスタ９１によって検知される外気温度値に基づいて、給気動作における加湿状態と換気状態とが切り換わるように、加湿ユニット５０の各種機器を制御する。具体的には、脱臭運転制御部６２は、スチームアウトフェーズＦ１において、外気温度サーミスタ９１において検知された外気温度値が所定の第１温度（例えば、３０℃）値以上であると判断した場合、加湿ユニット５０の加湿部５７において積極的に加湿空気が生成されないように、加湿部５７の駆動を停止させる制御を行う。このため、スチームアウトフェーズＦ１において、外気温度値が所定温度値以上である場合には、加湿部５７の加湿ロータ５１が加熱装置５２によって加熱される室外空気の積極的な加湿空気の生成は行われず、吸排気口７ｃから取り入れられた室外の空気が加湿ロータ５１および吸排気切り換えダンパ５３を経て吸排気ホース６を通って室内機２へと供給される換気状態での給気動作、すなわち、換気給気動作が行われる。
【００７０】
また、脱臭運転制御部６２は、スチームアウトフェーズＦ１において、外気温度サーミスタ９１において検知された外気温度値が所定の第１温度（例えば、３０℃）値未満であると判断した場合、加湿ユニット５０の加湿部５７において積極的に加湿空気が生成されるように、加湿部５７を駆動させる制御を行う。このため、スチームアウトフェーズＦ１において、外気温度値が所定温度値未満である場合には、加湿部５７の加湿ロータ５１および吸着ファン５９ａが回転駆動し、かつ、加熱装置５２によって加湿ロータ５１が加熱されることで、加湿部５７において生成された加湿空気を含む室外空気が、吸排気ホース６を通って室内機２へと供給される加湿状態での給気動作、すなわち、加湿給気動作が行われる。
【００７１】
このように、脱臭運転制御部６２は、脱臭運転のスチームアウトフェーズＦ１において、外気温度が所定温度以上の場合には、加湿部５７による積極的な加湿空気の生成が行われないように加湿ユニット５０の各種機器を制御し、外気温度が所定温度未満の場合には加湿部５７による積極的な加湿空気の生成が行われるように加湿ユニット５０の各種機器を制御する。
【００７２】
なお、本実施形態の空気調和機１は、外気温度が３０℃以上ある場合には、出現率約８５％で３０℃６０％相当の絶対湿度があることが期待されるような、高温多湿気候を前提としている。このため、例えば、高温多湿以外の気候に適用する場合には、脱臭運転制御部は、外気温度値ではなく、例えば、室内湿度センサの検出する室内湿度値に基づいて、加湿状態と換気状態との切り換え行う。また、本実施形態では、脱臭運転における給気動作において、室外温度に基づいて加湿状態と換気状態とに状態を切り換えているが、脱臭効果を向上させるために、脱臭運転の給気動作において、換気状態の給気動作は行われずに、常に加湿状態の給気動作が行われてもよい。
【００７３】
また、脱臭運転制御部６２による外気温度値の判断は、所定時間（例えば、１分）毎に行われる。
【００７４】
また、脱臭運転制御部６２は、スチームアウトフェーズＦ１において、図６に示すように、室内温度サーミスタ９２によって検知される室内温度値が目標温度値範囲Wに入るように、圧縮機２１等の各種機器を制御することによって、冷媒回路に冷媒を循環させる。なお、ここでいう目標温度値範囲Wとは、所定の第２温度（例えば、２０℃）値以上であり所定の第１温度（例えば、３０℃）値以下の範囲のことである。また、ここでいう、所定の第１温度および所定の第２温度は、所定の第２温度の方が所定の第１温度よりも低い温度とする。
【００７５】
例えば、室内温度値が目標温度値範囲Wの所定の第２温度値未満である場合、脱臭運転制御部６２は、暖房運転時に行われる暖房動作が必要であると判断し暖房動作が行われるように、各種機器を制御する。なお、ここでいう暖房動作とは、通常運転制御部６１または脱臭運転制御部６２が、四路切換弁２２を図２に示す点線の位置とし、室外膨張弁２５を絞り、室内膨張弁１７を全開にして、圧縮機２１を起動する。このため、暖房動作が行われると、圧縮機２１から吐出される高圧冷媒は、室内熱交換器１１で凝縮した後、室外膨張弁２５で減圧されて、室外熱交換器２４に流入する。そして、室外熱交換器２４で蒸発した後、四路切換弁２２、アキュムレータ２３を介して圧縮機２１に戻る。このとき、室内熱交換器１１において冷媒が凝縮するため、室内空気は暖められる。また、室内温度値が目標温度値範囲Wの所定の第１温度値より大きい場合、脱臭運転制御部６２は、冷房運転時に行われる冷房動作が必要であると判断し冷房動作が行われるように、各種機器を制御する。なお、ここでいう冷房動作とは、通常運転制御部６１または脱臭運転制御部６２が、四路切換弁２２を図２に示す実線の位置とし、室外膨張弁２５を絞り、室内膨張弁１７を全開にして、圧縮機２１を起動する。このため、冷房動作が行われると、圧縮機２１から吐出される高圧冷媒は、室外熱交換器２４で凝縮した後、室外膨張弁２５で減圧されて、第１室内熱交換器１１ａに流入する。そして、第１室内熱交換器１１ａで蒸発し、室内膨張弁１７を介して第２室内熱交換器１１ｂで蒸発した後、四路切換弁２２、アキュムレータ２３を介して圧縮機２１に戻る。このとき、第１室内熱交換器１１ａおよび第２室内熱交換器１１ｂにおいて冷媒が蒸発するため、室内空気は冷却される。さらに、室内温度値が目標温度値範囲W内に入っている場合、脱臭運転制御部６２は、冷房動作および暖房動作が必要ではないと判断し、圧縮機２１等が駆動している場合には圧縮機２１等の各種機器の駆動を停止させる制御を行い、また、圧縮機２１等が駆動していない場合には圧縮機２１等を駆動させる制御を行わない。なお、脱臭運転の開始時における脱臭運転制御部６２による動作判断は、図６に示す室温上昇時で判断する。
【００７６】
このため、脱臭運転のスチームアウトフェーズＦ１には、換気給気動作と冷房動作とが同時に行われる換気冷房状態、加湿給気動作と暖房動作とが同時に行われる加湿暖房状態、および、加湿給気動作のみが行われ冷房動作または暖房動作が行われない加湿単独状態の３つの状態がある。したがって、脱臭運転制御部６２は、脱臭運転のスチームアウトフェーズＦ１において、室内温度値および室外温度値に基づいて、換気冷房状態、加湿暖房状態および加湿単独状態の３つの状態を切り換える。
【００７７】
また、水フィルタフェーズＦ２では、脱臭運転制御部６２は、水平フラップ９の傾斜角度がスチームアウトフェーズＦ１時の所定角度を維持するようにフラップ駆動モータ９ａの動作制御を行う。また、脱臭運転制御部６２は、室内ファン１２がスチームアウトフェーズＦ１時の所定風量となるように、室内ファン１２の回転を制御する。さらに、風量調整部６３は、吸排気ファン５４がスチームアウトフェーズＦ１時の風量となるように、吸排気ファン５４の回転を制御する。
【００７８】
また、脱臭運転制御部６２は、スチームアウトフェーズＦ１終了時に室内温度サーミスタ９２によって検知される室内温度値を目標温度として脱臭運転の水フィルタフェーズＦ２における除湿動作が行われるように、圧縮機２１等の各種機器を制御する。なお、このときの圧縮機２１の回転数は、通常運転時の回転数よりも大きいか、もしくは、最大の回転数とする。
【００７９】
また、水フィルタフェーズＦ２における除湿動作には、脱臭運転制御部６２によって、第１室内熱交換器１１ａおよび第２室内熱交換器１１ｂが吸熱器として機能するように各種機器が制御される通常除湿動作と、第１室内熱交換器１１ａが放熱器として機能し、かつ、第２室内熱交換器１１ｂが吸熱器として機能するように各種機器が制御される再熱除動作とが含まれる。脱臭運転制御部６２は、スチームアウトフェーズＦ１終了時の室内温度値に基づいて、通常除湿動作または再熱除湿動作のいずれかの除湿動作を行う。具体的には、脱臭運転制御部６２は、目標温度が所定の第３温度（例えば、２０℃）値未満の場合には、再熱除湿動作が必要であると判断し、再熱除湿動作を行う。なお、ここでいう再熱除湿動作とは、脱臭運転制御部６２が、四路切換弁２２を図２に示す実線の位置とし、室外膨張弁２５を全開にし、室内膨張弁１７を絞って圧縮機２１を起動する各種機器の制御動作をいう。このため、再熱除湿動作が行われると、圧縮機２１から吐出される高圧冷媒は、室外熱交換器２４、室外膨張弁２５を介して第１室内熱交換器１１ａに流入し、第１室内熱交換器１１ａで凝縮した後、室内膨張弁１７で減圧される。減圧された低圧冷媒は、第２室内熱交換器１１ｂで蒸発した後、四路切換弁２２、アキュムレータ２３を介して圧縮機２１に戻る。このとき、第１室内熱交換器１１ａでは、冷媒が凝縮するため、室内空気は加熱され、第２室内熱交換器１１ｂでは、冷媒が蒸発するため、室内空気は冷却、除湿される。
【００８０】
また、脱臭運転制御部６２は、目標温度が所定の第３温度（例えば、２０℃）値以上の場合には、通常除湿動作が必要であると判断し、通常除湿動作を行う。なお、ここでいう通常除湿動作とは、除湿運転時に行われる除湿動作と同様の動作であって、脱臭運転制御部６２が、四路切換弁２２を図２に示す実線の位置とし、室外膨張弁２５を絞り、室内膨張弁１７を全開にして、圧縮機２１を起動する各種機器の制御動作をいう。このため、通常除湿動作の除湿動作が行われると、圧縮機２１から吐出される高圧冷媒は、室外熱交換器２４で凝縮した後、室外膨張弁２５で減圧されて、第１室内熱交換器１１ａに流入する。そして、第１室内熱交換器１１ａで蒸発し、室内膨張弁１７を介して第２室内熱交換器１１ｂで蒸発した後、四路切換弁２２、アキュムレータ２３を介して圧縮機２１に戻る。このとき、第１室内熱交換器１１ａおよび第２室内熱交換器１１ｂにおいて冷媒が蒸発するため、室内空気は冷却、除湿される。
【００８１】
なお、脱臭運転時には、外気温度が低くても除湿動作が行われるように、再熱除湿実施可能な外気温度範囲の設定を外気温度０℃まで広げられている。また、脱臭運転の水フィルタフェーズＦ２では、室内温度が目標温度よりも低下した場合でも、脱臭運転制御部６２によって、サーモオフが行われずに、各室内熱交換器１１ａ，１１ｂが現在機能している吸熱器または放熱器としての機能が継続されるように、各種機器が制御される。具体的には、脱臭運転の水フィルタフェーズＦ２における除湿動作が通常除湿動作であって、室内温度が目標温度よりも低下した場合、脱臭運転制御部６２によって、第１室内熱交換器１１ａおよび第２室内熱交換器１１ｂが共に吸熱器として機能している状態が維持される。また、脱臭運転の水フィルタフェーズＦ２における除湿動作が再熱除湿動作であって、室内温度が目標温度よりも低下した場合、脱臭運転制御部６２によって、第１室内熱交換器１１ａが放熱器として機能している状態が維持され、第２室内熱交換器１１ｂが吸熱器として機能している状態が維持される。すなわち、脱臭運転の水フィルタフェーズＦ２では、脱臭運転制御部６２によって、各室内熱交換器１１ａ，１１ｂが同時に放熱器として機能するように、各種機器が制御されることはない。つまり、脱臭運転の水フィルタフェーズＦ２では、脱臭運転制御部６２によって、除湿動作から暖房動作への動作切り換えが行われない。
【００８２】
さらに、脱臭運転制御部６２は、水フィルタフェーズＦ２において、上述の除湿動作に加えて給気動作を行う。また、脱臭運転制御部６２は、外気温度サーミスタ９１によって検知される外気温度値に基づいて、給気動作における加湿状態と換気状態とが切り換わるように、加湿ユニット５０の各種機器を制御する。具体的には、脱臭運転制御部６２は、室外温度値が所定の第４温度（例えば、２４℃）値未満である場合には、加湿部５７によって積極的に生成された加湿空気が室内に供給される加湿状態での給気動作、すなわち、加湿給気動作を行う。また、脱臭運転制御部６２は、室外温度値が所定の第４温度（例えば、２４℃）値以上である場合には、加湿部５７によって積極的に加湿空気が生成されていない室外空気が室内に供給される換気状態での給気動作、すなわち、換気給気動作を行う。
【００８３】
このため、脱臭運転の水フィルタフェーズＦ２では、脱臭運転制御部６２によって、除湿動作と給気動作とが同時に実行される。例えば、水フィルタフェーズＦ２において、再熱除湿動作と加湿給気動作とが同時に実行される場合、室内機２内には、加湿部５７によって加湿された加湿空気を含む室外空気が、吸排気ホース６端部の開口から吹き出す。吸排気ホース６端部の開口は、室内熱交換器１１の前方に設けられているため、室内熱交換器１１を通る空気流の室内熱交換器１１より上流側に吹き出す。このため、室外空気は、室内から取り込まれた空気と共に、凝縮器として機能している第１室内熱交換器１１ａを通る際に加熱され、または、蒸発器として機能している第２室内熱交換器１１ｂを通る際に冷却されて除湿される。第１室内熱交換器１１ａを通って加熱された空気と第２室内熱交換器１１ｂを通って除湿された除湿空気とは、混合されて室内機２から吹き出し、室内へと供給される。
【００８４】
また、例えば、水フィルタフェーズＦ２において、通常除湿動作と換気給気動作とが同時に実行される場合、室内機２では、加湿部５７おいて積極的に加湿されていない室外空気が、吸排気ホース６端部の開口から吹き出す。吸排気ホース６端部の開口は、室内熱交換器１１の前方に設けられているため、室内熱交換器１１を通る空気流の室内熱交換器１１より上流側に吹き出す。このため、室外空気は、室内から取り込まれた空気と共に、蒸発器として機能している第１室内熱交換器１１ａおよび第２室内熱交換器１１ｂを通る際に冷却されて除湿される。第１室内熱交換器１１ａおよび第２室内熱交換器１１ｂを通って除湿された除湿空気は、混合されて室内機２から吹き出し、室内へと供給される。
【００８５】
なお、水フィルタフェーズＦ２では、除湿動作と給気動作とが同時に行われるため、吸排気ホース６等が凍結するおそれがある。このため、加湿部５７によって加湿された外部空気が室内機２に供給されることによって吸排気ホース６等が凍結するおそれがあると制御部６０が判断した場合には、脱臭運転制御部６２は、給気動作において加湿状態から換気状態に状態を切り換える。また、水フィルタフェーズＦ２では、室内熱交換器１１の温度に基づいて加湿状態から換気状態へ切り換える制御は行われない。
【００８６】
さらに、調湿フェーズＦ３では、脱臭運転制御部６２が、水平フラップ９の傾斜角度が水フィルタフェーズＦ２時の所定角度を維持するようにフラップ駆動モータ９ａの動作制御を行う。また、調湿フェーズＦ３では、脱臭運転制御部６２は、室内ファン１２が水フィルタフェーズＦ２時の所定風量となるように、室内ファン１２の回転を制御する。さらに、調湿フェーズＦ３では、脱臭運転制御部６２は、室外空気が室内機２に供給されないように、加湿ユニット５０の駆動を停止させる制御を行う。
【００８７】
また、調湿フェーズＦ３では、脱臭運転制御部６２は、除湿動作を行う。なお、本実施形態では、調湿フェーズＦ３における除湿動作は、除湿運転における通常除湿動作と同様の動作であり、水フィルタフェーズＦ２における通常除湿動作と同様の動作である。
【００８８】
また、脱臭運転制御部６２は、脱臭運転におけるスチームアウトフェーズＦ１、水フィルタフェーズＦ２および調湿フェーズＦ３の切り換えを、リモートコントローラ８０等によってユーザによって予め設定されている脱臭運転の実行時間に基づいて行う。具体的には、脱臭運転制御部６２は、以下に示す式にユーザによって予め設定されている脱臭運転の実行時間を当てはめて、各フェーズの実行時間を算出する。
α＝（脱臭運転の実行時間−所定の第１時間）／２
スチームアウトフェーズＦ１実行時間＝所定の第１時間＋α
水フィルタフェーズＦ２実行時間＝α−所定の第２時間
調湿フェーズＦ３実行時間＝所定の第２時間
【００８９】
このようにして算出した各フェーズの実行時間に基づいて、脱臭運転制御部６２は、各フェーズを切り換える。例えば、所定の第１時間が１時間であり、所定の第２時間が３０分である場合であって、ユーザによって脱臭運転の実行時間が５時間と設定された場合、脱臭運転制御部６２は、スチームアウトフェーズＦ１の実行時間を３時間（所定の第１時間＋α）と、水フィルタフェーズＦ２の実行時間を１時間３０分（α−所定の第２時間）と、調湿フェーズＦ３の実行時間を３０分（所定の第２時間）と算出する。そして、脱臭運転制御部６２は、算出した各フェーズの実行時間に基づいて、スチームアウトフェーズＦ１、水フィルタフェーズＦ２、調湿フェーズＦ３の順にフェーズを切り換える。このため、この場合には、脱臭運転として、スチームアウトフェーズＦ１が３時間行われた後に、水フィルタフェーズＦ２が１時間３０分間行われ、その後、調湿フェーズＦ３が３０分間行われる。
【００９０】
なお、所定の第１時間は、給気動作を行うことによって、室内の湿度を脱臭効果のある目標湿度まで上昇させることができる時間に基づいて定められる。また、所定の第２時間は、給気動作を行わずに除湿動作のみを行うことで、脱臭運転終了後の室内環境をユーザに不快感を与えない湿度であり、かつ、室内にカビ等が繁殖するおそれを低減させることができる湿度に室内の湿度を戻すことができる時間に基づいて定められる。
【００９１】
また、脱臭運転制御部６２は、脱臭運転が実行されているときにユーザによって脱臭運転の実行時間が変更された場合には、変更後の実行時間に基づいて、各フェーズの実行時間を再び算出する。そして、再び算出された各フェーズの実行時間に基づいて、脱臭運転制御部６２は、各フェーズを切り換える。なお、ユーザによって実行時間が変更されたときに既に実行されたフェーズがある場合には、脱臭運転制御部６２は、既に実行されたフェーズ切り換える制御を行わない。
【００９２】
また、脱臭運転制御部６２は、ユーザによって脱臭運転停止指令が為される場合を除いて、脱臭運転において調湿フェーズＦ３が確実に実行されるように、各フェーズの実行時間を算出する。このため、例えば、ユーザによって脱臭運転の実行時間が短くなるように設定が変更された場合でも、脱臭運転制御部６２は、スチームアウトフェーズＦ１または水フィルタフェーズＦ２の実行時間を短くすることで、調湿フェーズＦ３の実行時間を確保する。
【００９３】
なお、ユーザによって脱臭運転の実行時間が所定の第３時間（例えば、５時間）未満に設定された場合、リモートコントローラ８０を制御するリモートコントローラ制御部は、ユーザによって設定された実行時間のデータが制御部６０に送信されないようにリモートコントローラ８０を制御するとともに、リモートコントローラ８０の表示部にエラーが表示されるように表示部を制御する。
【００９４】
なお、脱臭運転制御部６２は、リモートコントローラ８０から所定の第３時間未満の実行時間のデータが送信された場合でも、各フェーズの実行時間を算出可能である。なお、所定の第３時間未満の実行時間のデータが送信されてきた場合には、脱臭運転制御部６２は、各フェーズの優先順位に基づいて、各フェーズの実行時間の配分を調整する。なお、各フェーズの優先順位は、調湿フェーズＦ３、スチームアウトフェーズＦ１、水フィルタフェーズＦ２の順である。
【００９５】
さらに、脱臭運転は、リモートコントローラ８０等を介したユーザからの脱臭運転開始指令が為された場合に行われる運転である。具体的には、リモートコントローラ８０等を介してユーザによって送信された脱臭運転開始指令を制御部６０が受信した場合に、脱臭運転制御部６２が各種機器を制御することによって、空気調和機１における脱臭運転が開始される。したがって、空気調和機１の運転が停止している場合、または、空気調和機１において通常運転が行われている場合でも、ユーザから脱臭運転開始指令が為されると、空気調和機１において脱臭運転が開始される。
【００９６】
また、脱臭運転は、リモートコントローラ８０等を介してユーザから脱臭運転停止指令が為された場合、運転が開始されてから実行時間が経過した場合、または、運転実行中にユーザからの他の運転（例えば、冷房運転）の開始指令が為された場合に、運転が停止される。なお、ユーザからの脱臭運転停止指令が為された場合には、例えば、リモートコントローラ８０に設けられている運転停止ボタンがユーザによって押された場合、および、室内機２に設けられている運転停止スイッチがユーザによって押された場合等が含まれる。また、運転が開始されてから実行時間が経過した場合とは、脱臭運転開始前にユーザによって設定されていた脱臭運転実行時間が経過して正常に運転を終了した場合、すなわち、各フェーズの実行時間に基づいて、スチームアウトフェーズＦ１、水フィルタフェーズＦ２、および、調湿フェーズＦ３が実行された場合のことである。
【００９７】
また、脱臭運転制御部６２は、ユーザによってリモートコントローラ８０から送信される通常運転の各種の運転設定（運転モード設定、設定温度、設定湿度、上下／左右以外の風向設定、風量設定、換気設定等）とは別の脱臭運転独自の各種の運転設定に基づいて各種機器を制御するため、制御部６０は、脱臭運転終了後には各種の運転設定が脱臭運転開始前の設定に戻っているか否かを判断し、脱臭運転開始前の設定に戻ってないと判断した場合には脱臭運転開始前の設定に戻す制御を行う。このため、ユーザがリモートコントローラ８０を介さずに冷房運転等の通常運転を開始するような場合でも、通常運転制御部６１は、脱臭運転開始前の設定で通常運転を開始することができる。これによって、ユーザに不快感を与えるおそれを減らすことができる。
【００９８】
＜脱臭運転制御部の制御動作＞
次に、脱臭運転制御部６２の制御動作について説明する。なお、以下には、ユーザによって脱臭運転の実行時間が５時間に設定されており、所定の第１時間が１時間であり、所定の第２時間が３０分である場合を例として説明する。また、以下の説明は、ユーザから脱臭運転開始指令が送信される以外には、他のいかなる制御指令も送信されていない場合、すなわち、運転が開始されてから実行時間が経過した場合について脱臭運転の例である。
【００９９】
ユーザからリモートコントローラ８０を介して為された脱臭運転開始指令を制御部６０が受信した場合、脱臭運転制御部６２は、各種機器を制御することで、空気調和機１において脱臭運転を開始させる。まず、脱臭運転制御部６２は、脱臭運転開始指令が為された時の室内温度値および室外温度値に基づいて、スチームアウトフェーズＦ１における状態を、換気冷房状態、加湿単独状態および加湿暖房状態のうちのいずれか１つの状態に決定し、決定された状態となるように各種機器を制御する。これによって、空気調和機１における脱臭運転のスチームアウトフェーズＦ１が行われる。
【０１００】
そして、脱臭運転のスチームアウトフェーズＦ１が実行されてから３時間が経過すると、脱臭運転制御部６２は、スチームアウトフェーズＦ１から水フィルタフェーズＦ２にフェーズを切り換える。このとき、脱臭運転制御部６２は、スチームアウトフェーズＦ１が実行されてから３時間経過した時の室内温度値に基づいて、水フィルタフェーズＦ２において、再熱除湿動作、または、通常除湿動作のうちのいずれの除湿動作を行うかを判断する。さらに、脱臭運転制御部６２は、スチームアウトフェーズＦ１が実行されてから３時間経過した時の外気温度値に基づいて、水フィルタフェーズＦ２において、加湿状態の給気動作（加湿給気動作）または換気状態の給気動作（換気給気動作）のうちのいずれの給気動作を行うかを判断する。そして、脱臭運転制御部６２が判断された除湿動作と判断された給気動作とを同時に実行することで、空気調和機１における脱臭運転の水フィルタフェーズＦ２が行われる。
【０１０１】
また、水フィルタフェーズＦ２が実行されてから１時間３０分が経過すると、脱臭運転制御部６２は、給気動作を停止し、かつ、除湿動作を行うことで、水フィルタフェーズＦ２から調湿フェーズＦ３にフェーズを切り換える。そして、水フィルタフェーズＦ２から調湿フェーズＦ３にフェーズが切り換わってから３０分が経過すると、脱臭運転制御部６２は、除湿動作を停止させ、空気調和機１における脱臭運転を停止させる。これによって、脱臭運転が終了する。
【０１０２】
このようにして、空気調和機において脱臭運転が行われる。なお、脱臭運転の実行時間が上記の例のように５時間に設定された場合には、脱臭運転の各フェーズでは以下のような効果が期待できる。また、脱臭運転の実行時間が５時間以上に設定された場合には、脱臭運転における効果は更に向上する可能性がある。
【０１０３】
スチームアウトフェーズＦ１が開始されてから１時間で、給気動作によって室内の湿度を上昇させる。また、スチームアウトフェーズＦ１が開始されてから１時間から３時間で、給気動作によって室内を高湿度に維持しつつ、室内の布等に染みこんだニオイ成分を空気中に放出させる。
【０１０４】
スチームアウトフェーズＦ１終了後に水フィルタフェーズＦ２が開始されることで、除湿動作によって室内のニオイ成分を室内熱交換器１１の結露水に溶かして回収しドレンとして排出しつつ、給気動作によって蒸発器として機能する室内熱交換器１１に高湿度の空気を当てることによって室内のニオイ成分の回収効率を向上させるとともに室内の湿度を上昇させる。
【０１０５】
水フィルタフェーズＦ２終了後に調湿フェーズＦ３が開始されることで、スチームアウトフェーズＦ１において室内湿度が高くなっていた場合でも、除湿動作によって室内の湿度を低下させる。
【０１０６】
また、室内機２の上部に設けられている空気取込口２ａと室内熱交換器１１との間には、空気清浄フィルタが配置されており、空気取込口２ａから室内機２内に取り込まれた空気は、空気清浄フィルタを介して室内熱交換器１１に送られる。このため、脱臭運転では、水フィルタフェーズＦ２の除湿動作によって室内空気中のニオイ成分が回収される他に、空気清浄フィルタにニオイ成分が吸着されることで、室内のニオイ成分の除去が行われている。
【０１０７】
＜特徴＞
（１）
従来より、加湿等で相対湿度を上昇させた空気を凝縮することで、空気中に含まれるニオイ成分等を凝縮水とともに回収する方法が提案されている。
【０１０８】
例えば、特開２００５−１０６３５８号公報に開示されている空気清浄機は、室内から取り込んだ空気を加湿する加湿部と、加湿部で加湿された空気を除湿する除湿部とを備えている。この空気清浄機では、室内から取り込んだ汚染空気が加湿部において湿度を高められて高湿度空気が生成され、生成された高湿度空気が除湿部において除湿される。このとき、除湿によって得られる水に空気中の汚染物質を取り込むことで、除湿後の空気を清浄化している。このように、この空気清浄機は、室内の空気を取り込んで清浄化して、清浄空気を室内に戻す空気清浄機能を有している。
【０１０９】
また、特開２００５−１２５０８５号公報に開示されている揮発性有機化合物の除去装置は、加湿機能と除湿機能とを有する加湿・除湿装置を備えている。この除去装置では、室内を加湿する第１工程終了後に、加湿された室内の空気を除湿する第２工程が行われている。この除去装置では、第１工程において室内を加湿することで建材等に付着した揮発性有機化合物を空気中に放散させ、第２工程において放散した揮発性有機化合物を空気とともに凝縮して、揮発性有機化合物を含む凝縮水として回収している。これによって、室内の揮発性有機化合物の除去を行っている。
【０１１０】
しかしながら、特開２００５−１０６３５８号公報に開示されている空気清浄機では、室内から取り込まれた空気を加湿しているため、室内の布や建材等に付着したニオイ成分を十分に除去できないおそれがある。
【０１１１】
また、特開２００５−１２５０８５号公報に開示されている揮発性有機化合物の除去装置では、室内が加湿される第１工程において室内の空気の布や建材等に染みこんだニオイ成分を空気中に十分に放散できずに第２工程に移行した場合、第２工程において室内のニオイ成分の除去が十分に行われないおそれがある。このため、上述のような空気清浄機能または除去装置を空気調和機の搭載した場合であっても、室内の脱臭が十分に行われないおそれがある。
【０１１２】
そこで、上記実施形態では、脱臭運転の水フィルタフェーズＦ２において、脱臭運転制御部６２によって、除湿動作と給気動作とが同時に実行される。このため、除湿動作によって室内のニオイ成分を空気中から水分とともに回収しながら室内を高湿度にすることができるため、脱臭運転において除湿動作のみが実行される場合と比較して、室内の布や建材等に染みこんだニオイ成分を除去することができる。
【０１１３】
これによって、室内のニオイ成分を室内空気中に放散させ、かつ、放散させたニオイ成分を回収して除去することで室内を脱臭する室内の脱臭効率を向上させることができている。
【０１１４】
（２）
上記実施形態では、加湿ユニット５０は、加湿空気を生成することが可能な加湿部５７を有している。また、加湿部５７によって生成された加湿空気を含む室外空気は、加湿ユニット５０から室内機２へと供給される。この空気調和機１では、加湿部５７において室外空気から加湿空気が生成されているため、加湿部を備えていない空気調和機と比較して、室内により高湿度の空気を供給することができる。
【０１１５】
これによって、室内の布や建材等に染みこんだニオイ成分を室内空気中に放散させる脱臭効果を向上させることができている。
【０１１６】
（３）
上記実施形態では、脱臭運転制御部６２は、加湿ユニット５０の各種機器を制御することで、給気動作における加湿状態と換気状態とを切り換える。このため、常に加湿部が駆動するように制御されている場合と比較して、加湿ユニット５０における消費電力を小さくすることができる。
【０１１７】
これによって、省エネルギーを実現することができる。
【０１１８】
（４）
上記実施形態では、脱臭運転制御部６２は、脱臭運転のスチームアウトフェーズＦ１および水フィルタフェーズＦ２において、外気温度サーミスタ９１によって検知される外気温度値に基づいて、給気動作における加湿状態と換気状態とが切り換わるように、加湿ユニット５０の各種機器を制御する。具体的には、脱臭運転制御部６２は、外気温度が所定温度以上の場合には換気状態、すなわち、加湿部５７による積極的な加湿空気の生成が行われない状態となるように、加湿ユニット５０の各種機器を制御し、外気温度が所定温度未満の場合には加湿状態、すなわち、加湿部５７による積極的な加湿空気の生成が行われる状態となるように加湿ユニット５０の各種機器を制御する。
【０１１９】
このため、外気温度が３０℃以上ある場合には、出現率約８５％で３０℃６０％相当の絶対湿度があることが期待されるような高温多湿気候では、室外温度が高い場合には絶対湿度が高いことが期待されるため、室外温度が高いときに、給気動作の状態が、加湿部５７によって積極的な加湿空気の生成がされない換気状態であっても、室内空気よりも水分含有率の高い室外空気を室内機２に供給することができる。
【０１２０】
これによって、室内に高湿度な空気を供給することができている。
【０１２１】
また、上記実施形態では、高温多湿気候を前提として、室外温度に基づいて、脱臭運転における給気動作の状態が加湿状態と換気状態とが切り換えられるため、省エネルギーを実現するとともに室内の脱臭効果を得ることができる。
【０１２２】
（５）
上記実施形態では、脱臭運転制御部６２は、脱臭運転において、スチームアウトフェーズＦ１、水フィルタフェーズＦ２、調湿フェーズＦ３の順にフェーズを切り換える。このため、スチームアウトフェーズＦ１では、室外空気が加湿され、または、加湿されずに吸排気ホース６を通って室内機２へと供給される。また、スチームアウトフェーズＦ１では、室内温度値が目標温度値範囲Wに入るように、暖房動作や冷房動作等が行われる。したがって、スチームアウトフェーズＦ１では、室内空気の相対湿度が上昇するために、室内の布や建材等に染みこんだニオイ成分を室内空気中に放散させることができる。
【０１２３】
また、水フィルタフェーズＦ２では、除湿動作と給気動作とが同時に実行されている。このため、水フィルタフェーズＦ２では、除湿動作が実行されることによって、スチームアウトフェーズＦ１において相対湿度の上昇したニオイ成分を含む室内空気を室内機２内に取り込んで凝縮し、室内空気中に含まれていたニオイ成分を凝縮水とともに回収することができる。また、水フィルタフェーズＦ２では、給気動作が実行されることによって、スチームアウトフェーズＦ１において放散させきれなかった室内のニオイ成分を更に放散させることができる。
【０１２４】
さらに、調湿フェーズＦ３では、除湿動作が行われることによって、水フィルタフェーズＦ２において相対湿度が上昇した室内空気の湿度を下げることができる。したがって、脱臭運転終了後の室内環境の快適性を向上させることができる。また、調湿フェーズＦ３において、室内空気の湿度を下げることで、室内にカビ等が繁殖するおそれを減らすことができる。
【０１２５】
これによって、脱臭効率のよい脱臭運転を行うことができる。
【０１２６】
また、上記実施形態では、加湿ユニット５０から室外の空気が供給される吸排気ホース６端部の開口が、室内熱交換器１１の前方に設けられているため、室内熱交換器１１を通る空気流の室内熱交換器１１より上流側に吹き出す。このため、室内熱交換器１１は、水フィルタフェーズＦ２において、常に湿った状態を維持することができる。このため、フィルタフェーズにおいて、蒸発器として機能している室内熱交換器における水分の結露量を増やすことができる。したがって、室内熱交換器１１を通過する空気からニオイ成分を更に回収することができる。
【０１２７】
これによって、脱臭効果を向上させることができている。
【０１２８】
（６）
室内の布や建材等に染みこんだニオイ成分を室内空気中に放散させるためには、室内環境を高温高湿等の所定の環境にすることが好ましい。例えば、室内環境が高湿度な環境であっても、室内温度が極端に低い場合には、室内のニオイ成分を空気中に放散させる効果は低減するおそれがある。
【０１２９】
そこで、上記実施形態では、スチームアウトフェーズＦ１において、室内湿度値が目標湿度（例えば、６０％）値以上となるように、給気動作を行う。また、スチームアウトフェーズＦ１において、室内温度値が目標温度値範囲Wに入るように、冷房動作、または、暖房動作が行われる。このため、室内のニオイ成分を空気中に放散させる効果が低減するおそれを減らすことができる。
【０１３０】
また、上記実施形態では、スチームアウトフェーズＦ１において、室内温度値が目標温度値範囲Ｗに入るように、暖房動作、または、冷房動作が行われている。このため、室内温度が所定の第１温度より上昇することによって室内環境が悪化するおそれを減らすことができる。また、室内温度が所定の第２温度より低下することによって室内の絶対湿度が低下することで脱臭効果が低下するおそれを減らすことができる。
【０１３１】
さらに、上記実施形態では、水フィルタフェーズＦ２において、スチームアウトフェーズＦ１終了時の室内温度に基づいて、通常除湿動作または再熱除湿動作のいずれかの除湿動作が行われるように、圧縮機２１等の各種機器が制御される。具体的には、スチームアウトフェーズＦ１終了時の室内温度が高い場合には通常除湿動作が行われ、スチームアウトフェーズＦ１終了時の室内温度が低い場合には再熱除湿動作が行われる。このため、室内の温度が低い冬季等において、通常除湿動作が行われる場合と比較して、室内温度の低下を緩やかにすることができる。したがって、水フィルタフェーズＦ２において行われている室内のニオイ成分を空気中に放散させる効果が低減するおそれを減らすことができる。
【０１３２】
これによって、脱臭効果を向上させることができている。
【０１３３】
（７）
上記実施形態では、脱臭運転のスチームアウトフェーズＦ１および水フィルタフェーズＦ２において、吸排気ファン５４は、加湿運転時に吸排気ファン５４によって生成される風量のうちの最も大きい風量で回転するように制御されている。このため、例えば、吸排気ファンの風量が小さい場合と比較して、加湿ユニット５０から室内機２への室外空気の供給量を多くすることができる。したがって、室内のニオイ成分を空気中に放散させる効果を向上させることができる。
【０１３４】
これによって、脱臭効果を向上させることができている。
【０１３５】
（８）
上記実施形態では、空気を加湿したり除湿したりすることで脱臭運転を行っている。このため、イオンやケミカル製品等が使用されて脱臭運転が行われる場合と比較して、脱臭運転における安全性を確保することができる。
【０１３６】
＜変形例＞
（Ａ）
上記実施形態では、水フィルタフェーズＦ２の給気動作において、加湿状態と換気状態とが切り換わるように、加湿ユニット５０の各種機器が制御されている。
【０１３７】
これに代えて、水フィルタフェーズＦ２の給気動作において、加湿状態と換気状態と給気停止状態とが切り換えられてもよい。なお、給気停止状態とは、加湿ユニットから室内機への加湿空気の供給が停止されている状態のことである。以下に、脱臭運転制御部による水フィルタフェーズＦ２における給気動作の状態切り換え制御について図７を用いて説明する。なお、以下の所定の第５温度値および所定の第６温度値とは、所定の第５温度値の方が所定の第６温度値よりも大きい温度値とする。
【０１３８】
脱臭運転制御部は、水フィルタフェーズＦ２において、外気温度サーミスタによって検知される外気温度値に基づいて、加湿状態と換気状態と給気停止状態とが切り換わるように、加湿ユニットの各種機器を制御する。
【０１３９】
脱臭運転制御部は、室外温度値が所定の第６温度（例えば、０℃）値未満の場合には、室外空気が室内に供給されない給気停止状態となるように、加湿ユニットの各種機器を制御する。具体的には、給気停止状態では、脱臭運転制御部は、吸排気ファンの回転が停止するように、吸排気ファンを制御する。また、脱臭運転制御部は、室外温度値が所定の第６温度（例えば、０℃）値以上であり所定の第５温度（例えば、２４℃）値未満である場合には、加湿部によって加湿された室外空気が室内に供給される加湿状態となるように、加湿ユニットの各種機器を制御する。さらに、脱臭運転制御部は、室外温度値が所定の第５温度（例えば、２４℃）値以上である場合には、加湿部によって加湿されていない室外空気が室内に供給される換気状態となるように、加湿ユニットの各種機器を制御する。このため、室外温度値が所定の第６温度値未満である場合を除き、水フィルタフェーズＦ２では、脱臭運転制御部によって、除湿動作と給気動作とが同時に実行される。
【０１４０】
このように、室外温度が室内温度よりも極端に低い場合に給気動作を停止させることで、室外空気の供給による室内空気の温度低下を抑制することができる。また、給気停止状態で給気動作が行われた場合であっても、空気清浄フィルタにおいて空気中のニオイ成分を吸着することができるため、室内の脱臭を行うことができる。
【０１４１】
これによって、室内のニオイ成分を空気中に放散させる効果を向上させることができるため、脱臭効率を向上させることができる。
【０１４２】
また、これに加えて、水フィルタフェーズＦ２において、図７に示すＡゾーンでは、冷房運転時の冷房動作が行われ、ＢゾーンおよびＣゾーンでは、除湿動作が行われ、Ｃゾーンでは、サーモオフ状態の除湿動作が行われてもよい。なお、各ゾーンは、Ａゾーン、Ｂゾーン、Ｃゾーン、Ｄゾーンの順に室外温度値が高いものとする。
【０１４３】
（Ｂ）
上記実施形態では、脱臭運転のスチームアウトフェーズＦ１および水フィルタフェーズＦ２において、外気温度サーミスタ９１によって検知される外気温度値に基づいて、給気動作の加湿状態と換気状態とが切り換えられている。
【０１４４】
これに代えて、室外空気の湿度に基づいて、給気動作の換気状態と加湿状態とが切り換えられてもよい。例えば、図８に示すように、加湿ユニット５０が室外空気の湿度を検知する室外湿度センサ１９３を備えている空気調和機１について説明する。この空気調和機１では、給気動作において、室外湿度センサ１９３によって検知される室外湿度値に基づいて、加湿状態と換気状態とが切り換えられる。具体的には、通常運転制御部１６１および脱臭運転制御部１６２は、室外湿度値が所定の第１湿度（例えば、６０％）値以上である場合には、換気状態の給気動作を行う。また、通常運転制御部１６１および脱臭運転制御部１６２は、室外湿度値が所定の第１湿度（例えば、６０％）値未満である場合には、加湿状態の給気動作を行う。すなわち、通常運転制御部１６１および脱臭運転制御部１６２は、室外湿度が高い場合には給気動作の状態を換気状態に切り換え、室外湿度が低い場合には給気動作の状態を加湿状態に切り換える。このため、給気動作が行われることによって、室外の高湿度な空気を室内に供給することができる。
【０１４５】
また、室外空気の湿度が室外温度から推定されることによって、換気状態と加湿状態とが切り換えられる場合と比較して、室外空気の湿度が誤って判定されるおそれを減らすことができる。なお、図８において、符号１６０は制御部を示し、符号１６３は風量調整部を示している。また、図８では、制御部１６０、通常運転制御部１６１、脱臭運転制御部１６２、風量調整部１６３および室外湿度センサ１９３以外の符号については、上記実施形態と同様の符号を付している。
【０１４６】
また、給気動作の換気状態と加湿状態とは、吸排気ホース内において結露が発生しているか否かに基づいて、切り換えられてもよい。例えば、高湿度領域で急激に電気抵抗値が上昇する結露センサが吸排気ホース内部に設けられている空気調和機について説明する（図９参照）。
【０１４７】
この空気調和機では、加湿状態の給気動作が行われているときに、結露センサから送信される電気抵抗値が所定値以上となった場合には、制御部は、吸排気ホース内が結露状態であると判定し、加湿状態から換気状態に状態を切り換えるか、もしくは、給気動作を停止する。また、換気状態の給気動作が行われているときに、結露センサから送信される電気抵抗値が所定値未満となった場合には、制御部は、吸排気ホース内が非結露状態であると判定し、換気状態から加湿状態に状態を切り換えるか、もしくは、給気動作を開始させる。このように、この空気調和機では、吸排気ホース内の結露状態を外気温度等によって推定していた従来の空気調和機と比較して、吸排気ホース内の状態をより直接的に監視することができる。したがって、実際には吸排気ホースが結露していないにもかかわらず室内機に供給される加湿空気の量が調節される等の加湿ユニットの機能が制限されるおそれを減らすことができる。
【０１４８】
（Ｃ）
上記実施形態では、室外空気が供給される吸排気ホース６端部の開口は、室内熱交換器１１の前方に設けられている。このため、室外空気は、室内熱交換器１１の表面に吹き出されている。
【０１４９】
これに代えて、室外の空気が、室内機内を通らずに、加湿ユニットから室内に直接供給されるような構成にしてもよい。このような構成にすることによって、脱臭運転の水フィルタフェーズにおいて、室内に除湿されていない高湿度な空気を供給することができる。
【０１５０】
（Ｄ）
上記実施形態では、水フィルタフェーズにおいて除湿動作と加湿動作とが同時に実行されているが、これに代えて、除湿動作と加湿動作とが交互に実行されてもよい。また、脱臭運転において、給気動作によって室外空気を室内に供給した後に、除湿動作によって室内の空気が除湿されてもよい。
【産業上の利用可能性】
【０１５１】
本発明は、給気動作と除湿動作とを同時に実行することで室内の脱臭効率を向上させることができるため、脱臭運転を行う空気調和機への適用が有効である。
【図面の簡単な説明】
【０１５２】
【図１】本発明の実施形態に係る空気調和機の正面図。
【図２】本発明の実施形態に係る空気調和機の概略冷媒回路図。
【図３】室外機の分解斜視図。
【図４】本発明の実施形態に係る空気調和機の備える制御部の制御ブロック図。
【図５】脱臭運転における制御動作の一例を示す図。
【図６】スチームアウトフェーズにおける除湿動作と給気動作とを示す図。
【図７】変形例（Ａ）の水フィルタフェーズにおける除湿動作と給気動作とを示す図。
【図８】変形例（Ｂ）に係る空気調和機の備える制御部の制御ブロック図。
【図９】変形例（Ｂ）に係る結露センサの電気抵抗値と結露状態および非結露状態とを示す図。
【符号の説明】
【０１５３】
１空気調和機
１１      室内熱交換器
１１ａ    第１室内熱交換器（第１室内熱交換部）
１１ｂ    第２室内熱交換器（第２室内熱交換部）
５０      加湿ユニット（給気手段）
５４      吸排気ファン（給気ファン）
５７      加湿部
９１      外気温度サーミスタ（温度検知部）
１９３      室外湿度センサ（湿度検知部）
６０，１６０  制御部
６３，１６３  風量調整部
Ｆ１      スチームアウトフェーズ（高湿度フェーズ）
Ｆ２      水フィルタフェーズ（除湿加湿同時実行フェーズ）
Ｆ３      調湿フェーズ